(57)【要約】      （修正有）【課題】照明器具の設置用部材への取付けに際しての負担を軽減し、安全性を向上させることができる新規な照明器具用構造体及びこれを備えた照明器具を提供する。【解決手段】照明基体９の中央に基体開口部を備える照明器具に取着可能な照明器具用構造体であって、照明基体９に配置された光源Ｌ１１を被覆し、且つ、中央にカバー開口部を備える透光性の光源保護カバー１と、基体開口部９の中心軸と同軸で光源保護カバー１に対して回動可能となる接続部２を備える。【選択図】図１４
2019053833.tif 000002
【特許請求の範囲】
【請求項１】
照明基体の中央に基体開口部を備える照明器具に取着可能な照明器具用構造体であって、
前記照明基体に配置された光源を被覆し、且つ、中央にカバー開口部を備える透光性の光源保護カバーと、前記基体開口部の中心軸と同軸で前記光源保護カバーに対して回動可能となる接続部を備えたことを特徴とする照明器具用構造体。
【請求項２】
前記接続部は、ホルダ部と操作部を有し、
前記ホルダ部と操作部の少なくともいずれか一方は透光性を有し、
前記ホルダ部は、円筒状の外周面を有し、該外周面には鍔部を備え、前記鍔部には光源保護カバー若しくは照明基体に対して一定範囲の回動を許容するためのガイド部を備え、
前記光源保護カバーに当接若しくは隣接する規制部を備え、
前記規制部が、前記回動ガイド部内に配置されることを特徴とする請求項１記載の照明器具用構造体。
【請求項３】
前記回動ガイド部に隣接する腕部を備え、該腕部は前記回動ガイド部に面する膨出部を備え、該膨出部により前記規制部を保持可能としたことを特徴とする請求項２記載の照明器具用構造体。
【請求項４】
前記接続部と当接する押え板を備え、該押え板は前記規制部を備えることを特徴とする請求項２又は３記載の照明器具用構造体。
【請求項５】
前記規制部は、前記光源保護カバーのカバー開口部の周縁部の裏面に立設したことを特徴とする請求項２又は３記載の照明器具用構成体。
【請求項６】
前記光源保護カバーの前記カバー開口部に対して前記接続部の一部が上下に移動可能であり且つ接続部の前記一部は当該光源保護カバーの複数の位置に対する係脱手段を有することを特徴とする請求項１、２、３、４又は５記載の照明器具用構成体。
【請求項７】
前記接続部は、ホルダ部と操作部を備え、
前記ホルダ部は操作部を上下移動させるための開口を備え、
前記操作部は、ホルダ部に対する複数位置での係脱手段と、接続端子とを備えたことを特徴とする請求項６記載の照明器具用構造体。
【請求項８】
前記係脱手段は、径方向に外側へ付勢される拡縮可能な係脱手段であることを特徴とする請求項６又は７記載の照明器具用構造体。
【請求項９】
前記ホルダ部の開口周縁には設置用部材の外周に沿う取付ガイド部を備えたことを特徴とする請求項７又は８記載の照明器具用構造体。
【請求項１０】
操作部の接続端子を除く上面に、設置用部材の外周に沿う取付ガイド部を備えたことを特徴とする請求項２、３、４、５、６、７、８又は９記載の照明器具用構造体。
【請求項１１】
操作部の接続端子を除く上面にガイド表示部を備えたことを特徴とする請求項２、３、４、５、６、７、８、９又は１０記載の照明器具用構造体。
【請求項１２】
請求項１、２、３、４、５、６、７、８、９、１０又は１１に記載の照明器具用構造体を備えたことを特徴とする照明器具。
【発明の詳細な説明】
【技術分野】
【０００１】
本発明は、主としてシーリングライト等の照明器具の構成部品のうち、設置面に予め設けられた設置用部材に対して当該照明器具を取着するための接続部と、照明器具内の光源を保護するための光源保護カバーとを有する照明器具用構造体、及び、当該照明器具用構造体を備えたシーリングライト等の照明器具に関する。
【背景技術】
【０００２】
一般に、シーリングライト等の照明器具は、天井面等の設置面に予め設けられた前記設置用部材（例えば、図１（ａ）〜（ｃ）に示す丸型シーリング、（ｄ）〜（ｆ）に示す角型シーリング、（ｇ）〜（ｉ）に示す埋め込みローゼットのような種々の形状を有する引掛シーリング、若しくは埋め込みローゼット等）に対して、取着することで設置される。
【０００３】
設置用部材に対する照明器具の取着には、例えば前記したいずれかの引掛けシーリング等に対応したアダプタを、当該照明器具よりも先に当該引掛けシーリング等に対して取着することが一般的である。
当該アダプタは、通常、外部へ接続する配線部とその先端に設けられるコネクタを有している。
当該アダプタに対して、前記照明器具の照明器具本体（外カバーを外したもの）を取着し、更に、アダプタに設けられたコネクタを前記照明器具本体に接続した上で、当該照明器具の外カバーを取着する。
【０００４】
しかしこのような従来のシーリングライト等の照明器具は、コネクタを有するアダプタを用いた取付方法が煩雑であることから、より利便性の高い構成として、照明装置の本体中央部にアダプタを把持可能に設け、当該本体中央部を把持し、シーリングライト全体を回転させながら、天井面に設けられた設置用部材に当該照明器具を取着・接続する照明器具が公知である（例えば、特許文献１、２参照。）。
【先行技術文献】
【特許文献】
【０００５】
【特許文献１】特開２００２−１０９９１２号公報
【特許文献２】特許第５７９３２６４号公報
【発明の概要】
【発明が解決しようとする課題】
【０００６】
上記特許文献１、２に係る発明の構成によれば、シーリングライトの中央を把持し、当該シーリングライトを天井面に設けられた設置用部材に取付けるものであることから、照明器具の設置の度にアダプタを個別に設置する必要がなく、設置の際の利便性を向上させることができる。しかしながら、シーリングライト側の端子を、天井側の設置用部材の位置をあわせた後、シーリングライト全体を回動させる操作が必要となる。
【０００７】
作業者が、天井側へ持ち上げた重量物であるシーリングライト全体の水平を保ちながら上記回動操作を行うには、その重量に応じた所定の力で行う必要があり、作業負担が大きいものである。
【０００８】
またシーリングライト全体の回動の際に、重量に抗しつつ水平を保ちながら回動させることに失敗すると、接続端子と天井の設置用部材とが全く係合されないか、若しくは不十分な片掛かり（例えば、二箇所の掛止によって保持が可能となるところ、一箇所のみの掛止がされることで、不十分な保持となること）の状態となり、当該シーリングライトを落下させる虞がある。
【０００９】
更に、設置用部材は、前記図１に示したように、形状の異なる複数の種類のものが存在する。特許文献２におけるシーリングライトの取付に際しても、これらの複数の種類の設置用部材への取付に際して、その形状に応じた構成が求められる。当該特許文献２においては、必要に応じて、スペーサを設ける構成としているが、このようなスペーサを設けることは、部品点数の増加、作業性の低下を招来する点で負担が大きく、問題であった。
【００１０】
本発明は以上の事情に鑑みてなされたものであり、照明器具の設置用部材への取付けに際しての負担を軽減し、安全性を向上させることができる新規な照明器具用構造体、及びこれを備えた照明器具の提供を、発明が解決しようとする課題とする。
【課題を解決するための手段】
【００１１】
本発明は、照明基体の中央に基体開口部を備える照明器具に取着可能な照明器具用構造体であって、前記照明基体に配置された光源を被覆し、且つ、中央にカバー開口部を備える透光性の光源保護カバーと、前記基体開口部の中心軸と同軸で前記光源保護カバーに対して回動可能となる接続部を備えたことを特徴とする照明器具用構造体を、上記課題を解決するための手段とする。
【００１２】
また本発明は、上記発明の構成を前提として、前記接続部は、ホルダ部と操作部を有し、前記ホルダ部と操作部の少なくともいずれか一方は透光性を有し、前記ホルダ部は、円筒状の外周面を有し、該外周面には鍔部を備え、前記鍔部には光源保護カバー若しくは照明基体に対して一定範囲の回動を許容（案内）するためのガイド部２０２を備え、前記光源保護カバーに当接若しくは隣接する規制部を備え、前記規制部が、前記回動ガイド部内に配置されることを特徴とする照明器具用構造体を、上記課題を解決するための手段とする。
【００１３】
また本発明は、上記発明の構成を前提として、前記回動ガイド部（切欠部）に隣接する腕部を備え、該腕部は前記回動ガイド部に面する膨出部を備え、該膨出部により前記規制部を保持可能としたことを特徴とする照明器具用構造体を、上記課題を解決するための手段とする。
【００１４】
また本発明は、上記いずれかの発明の構成を前提として、前記接続部と当接する押え板を備え、該押え板は前記規制部を備えることを特徴とする照明器具用構造体を、上記課題を解決するための手段とする。
【００１５】
また本発明は、上記いずれかの発明の構成を前提として、押え板に規制部を備える構成に代えて、前記規制部は、前記光源保護カバーのカバー開口部の周縁部の裏面に立設したことを特徴とする照明器具用構成体を、上記課題を解決するための手段とする。
【００１６】
また本発明によれば、上記いずれかの発明の構成を前提としたうえで、前記光源保護カバーの前記カバー開口部に対して前記接続部の一部が上下に移動可能であり且つ接続部の前記一部は当該光源保護カバーの複数の位置に対する係脱手段を有することを特徴とする照明器具用構成体を、上記課題を解決するための手段とする。
【００１７】
また本発明は、上記接続部の一部が上下に移動可能となる発明の構成を前提として、前記接続部は、ホルダ部と操作部を備え、前記ホルダ部は操作部を上下移動させるための開口を備え、前記操作部は、ホルダ部に対する複数位置での係脱手段と、接続端子とを備えたことを特徴とする照明器具用構造体を、上記課題を解決するための手段とする。
【００１８】
また本発明は、上記発明の構成を前提として、前記係脱手段は、径方向に外側へ付勢される拡縮可能な係脱手段であることを特徴とする照明器具用構造体を、上記課題を解決するための手段とする。
【００１９】
また本発明は、上記発明の構成を前提として、前記ホルダ部の開口周縁に取付ガイド部を備えたことを特徴とする照明器具用構造体を、上記課題を解決するための手段とする。
【００２０】
また本発明によれば、上記いずれかの発明の構成を前提として、操作部の接続端子を除く上面に、取付ガイド部を備えたことを特徴とする照明器具用構造体を、上記課題を解決するための手段とする。
【００２１】
また本発明によれば、上記いずれかの発明の構成を前提として、操作部の接続端子を除く上面を光透過性とし、当該上面に目印若しくは凹部によって構成されるガイド表示部を備えたことを特徴とする照明器具用構造体を、上記課題を解決するための手段とする。
【００２２】
また本発明によれば、上記いずれかの照明器具用構造体を備えた照明器具を、上記課題を解決するための手段とする。
【発明の効果】
【００２３】
本発明によれば、照明基体の中央に基体開口部を備える照明器具に取着可能な照明器具用構造体であって、前記照明基体に配置された光源を被覆し、且つ、中央にカバー開口部を備える透光性の光源保護カバーと、基体開口部の中心軸と同軸で前記光源保護カバーに対して回動可能となる接続部を備えたこととしたから、光源保護カバーが照明基体に固定された状態で、接続部のみを回動させると、従来と比較して非常に軽い力で設置用部材と接続部とを係止させることができる。また、回動に際して重量に抗しつつ水平を保ちながら光源保護カバーを取着した照明基体自体を回転させる必要がないことから、作業負担を低減することができる。そして、回動の際の全体の上下方向の意図しない移動等が低減され、接続端子と天井の設置用部材との係合の失敗や、これに伴うシーリングライトの落下の虞を低減することが可能である。
【００２４】
また本発明は上記構成を備えた上で、前記接続部は、ホルダ部と操作部を有し、前記ホルダ部と操作部の少なくともいずれか一方は透光性を有し、前記ホルダ部は、円筒状の外周面を有し、該外周面には鍔部を備え、前記鍔部には光源保護カバー若しくは照明基体に対して一定範囲の回動を許容（案内）するためのガイド部２０２を備え、前記光源保護カバーに当接若しくは隣接する規制部を備え、前記規制部が、前記回動ガイド部内に配置したから、前記鍔部が光源保護カバー若しくは照明基体に沿って、前記規制部が回動ガイド部内で移動可能な範囲において回動するため、上記作用効果を得られるうえに、当該回動ガイド部の設定によって、回動操作性を適切なものとすることができる。
【００２５】
また本発明は、上記構成を備えた上で、前記回動ガイド部（切欠部）に隣接する腕部を備え、該腕部は前記回動ガイド部に面する膨出部を備え、該膨出部により前記規制部を保持可能としたから、上記いずれかの作用効果を奏する上に、腕部の撓りにともなう円滑な回動操作性を実現され、更に、規制部が膨出部を乗り超えることで、一定の保持力と一定の解除に要する力を確保でき、不慮の規制部の移動を抑止でき、安全性を高めることができる。
【００２６】
また本発明は、上記いずれかの構成を備えた上で、前記接続部と当接する押え板を備え、該押え板は前記規制部を備えることによって、既存のシーリングライト等の照明装置に対して、一定範囲の回動を許容する本願発明の構成を適用することができる。
【００２７】
また本発明は、押え板に規制部を備える構成に代えて、前記規制部は、前記光源保護カバーのカバー開口部の周縁部の裏面に立設したことから、前記押え板を用いることなく、規制部を光源保護カバーと一体化することで部品点数が低減するから、材料コストの低廉化及び組立コストの低減を図ることが可能である。
【００２８】
また本発明は、上記いずれかの発明の構成を前提として、前記光源保護カバーの前記カバー開口部に対して前記接続部の一部が上下に移動可能であり且つ接続部の前記一部は当該光源保護カバーの複数の位置に対する係脱手段を有する構成としたことから、上記いずれかの発明の作用効果を奏する上に、接地面及び複数の設置用部材までの距離を調節することができ、この結果、スペーサを用いることもなく、複数の設置用部材に対して照明器具を設置することができる利点を有する。
【００２９】
また本発明は、上記発明の構成を前提として、前記接続部は、ホルダ部と操作部を備え、前記ホルダ部は操作部を上下移動させるための開口を備え、前記操作部は、ホルダ部に対する複数位置での係脱手段と、接続端子とを備えたから、操作部の係脱手段を操作し、当該操作部をホルダ部に対して上下させ、複数の位置でホルダ部と操作部を係止させることによって、複数の設置用部材に対して照明器具を設置することが可能である。
【００３０】
また本発明は、上記発明の構成を前提として、前記操作部の係脱手段は、径方向に外側へ付勢される拡縮可能な係脱手段とした場合には、上記発明の作用効果を奏する上に、操作部を片手で保持したまま、その手で前記係脱手段を押し込むことが可能であり、簡単な操作で操作部の上下位置の変更を行うことが可能である。
【００３１】
また本発明は、上記発明の構成を前提として、前記ホルダ部の開口周縁には設置用部材の外周に沿う取付ガイド部を備えたことで、上記発明の作用効果を奏する上に、接続端子と天井の設置用部材とが全く係合されないか、若しくは不十分な片掛かり（例えば、二箇所の掛止によって保持が可能となるところ、一箇所のみの掛止がされることで、不十分な保持となること）を防止でき、簡単に設置部材に対する位置決めを行うことができ、作業性、安全性を更に高めることができる。
【００３２】
また本発明は、上記発明の構成を前提として、操作部の接続端子を除く上面に、設置用部材をガイドするための取付ガイド部を立設したことから、設置用部材に対して取付ガイド部を沿わせることで、設置用部材への取付けを非常に容易とすることが可能である。
【００３３】
また本発明は、上記発明の構成を前提として、操作部の接続端子を除く上面を光透過性とし、当該上面にガイド表示部を備えたことから、下方から光透過性の当該上面を視認しつつ、前記ガイド表示部に対して設置用部材を合わせることで、設置用部材への取付を非常に容易とすることが可能である。
【００３４】
また、上記した取付ガイド部の立設位置の内側に前記ガイド表示部を構成することによって、多種の設置用部材との取付を容易とすることが可能である。
【００３５】
そして、本発明は上記いずれかの構成を備えた記載の照明器具用構造体を備えたことを特徴とする照明器具としたことによって、当該照明器具用構造体の特性を生かした、設置用部材への取付けに際しての負担を軽減し、安全性を向上させることができる照明器具とすることが可能である。
【図面の簡単な説明】
【００３６】
【図１】一般的な設置用部材であって、タイプ１（丸形引掛けシーリング）の設置用部材の（ａ）斜視図、（ｂ）正面図、（ｃ）底面図、タイプ２の設置用部材の（ｄ）斜視図、（ｅ）正面図、（ｆ）底面図、タイプ３の設置用部材の（ｇ）斜視図、（ｈ）正面図、（ｉ）底面図、（ｊ）前記タイプ１の設置用部材を設置面に取り付けた状態を示す説明図である。
【図２】本発明の実施例１に係る照明器具用構造体をタイプ１の設置用部材に取付ける状態を示す説明斜視図である。
【図３】本発明の実施例１に係る照明器具用構造体とともに使用可能な照明基体を示す（ａ）底面、正面、右側面を示す斜視図、（ｂ）平面、背面、左側面を示す斜視図である。
【図４】本発明の実施例１に係る照明器具用構造体における光源保護カバーの（ａ）平面図、（ｂ）正面図である。
【図５】本発明の実施例１に係る照明器具用構造体における光源保護カバーの（ａ）底面図、（ｂ）右側面図である。
【図６】本発明の実施例１に係る照明器具用構造体の第一段階の配置における（ａ）正面、平面、右側面を示す斜視図、（ｂ）底面、背面、左側面を示す斜視図である。
【図７】本発明の実施例１に係る照明器具用構造体の第二段階の配置における（ａ）正面、平面、右側面を示す斜視図、（ｂ）底面、背面、左側面を示す斜視図である。
【図８】本発明の実施例１に係る照明器具用構造体における回動ホルダ部と操作部との組立構造を示す斜視図である。
【図９】本発明の実施例１に係る照明器具用構造体における回動ホルダ部の（ａ）平面図、（ｂ）正面図、（ｃ）背面図、（ｄ）右側面図、(ｅ)底面図、（ｆ）Ａ−Ａ断面図である。
【図１０】本発明の実施例１に係る照明器具用構造体における操作部上部片の（ａ）平面図、（ｂ）左側面図、（ｃ）正面図、（ｄ）Ｃ−Ｃ断面図、（ｅ）背面図、（ｆ）底面図、（ｇ）Ｂ−Ｂ断面図である。
【図１１】本発明の実施例１に係る照明器具用構造体における操作部下部片の（ａ）平面図、（ｂ）左側面図、（ｃ）正面図、（ｄ）Ｅ−Ｅ断面図、（ｅ）背面図、（ｆ）底面図、（ｇ）Ｄ−Ｄ断面図である。
【図１２】本発明の実施例１に係る照明器具用構造体を用いてシーリングライトを構成する組立前の状態を示す説明図である。
【図１３】本発明の実施例１に係る照明器具用構造体を用いてシーリングライトを構成する（ａ）組立前の状態を示す説明図、（ｂ）位置決め部材を示す斜視図、（ｃ）外カバーを示す説明図、（ｄ）実施例１に係る照明器具用構造体を有する照明器具を示す縦断面図である。
【図１４】本発明の実施例１に係る照明器具用構造体Ｓを照明基体９に取着した状態を示す斜視図であって（ａ）底面（表面）、正面、右側面を示す斜視図、（ｂ）平面（裏面）、底面、正面、右側面を示す斜視図である。
【図１５】本発明の実施例１に係る照明器具用構造体Ｓにおける規制部と回動ガイド部（長穴）及び腕部との関係を示す説明図であって、（ａ）初期状態、即ち、規制部が第一の膨出面２０４ａ側でロックされている状態を示す説明図、（ｂ）規制部が第一の膨出面２０４ａから剖出端部２０４ｂを超えて第二の剖出面２０４ｃ側へ移動し、腕部が押圧変形された状態、（ｃ）規制部が回動ガイド部の略中央に位置する状態、（ｄ）規制部が端部２０２ｃに位置する状態を示す説明図である。
【図１６】（ａ）本発明の実施例１に係る照明器具用構造体における操作部と回動ホルダ部との第一段階の配置の状態を示す縦断面図、（ｂ）操作部における第一段階の配置の状態を示す縦断面図（ｃ）操作部における第一段階から第二段階へ移行する直前の状態（着脱手段２３を押し込んだ状態）を示す縦一部断面図、（ｄ）操作部と回動ホルダ部との第二段階の配置の状態を示す縦断面図である。
【図１７】本発明の実施例２に係る照明器具用構造体Ｓを構成する光源保護カバー及び接続部と照明基体９、外カバー６との関係を示す説明図である。
【図１８】本発明の実施例２に係る照明器具用構造体における光源保護カバーの（ａ）平面図、（ｂ）正面図である。
【図１９】本発明の実施例２に係る照明器具用構造体における光源保護カバーの（ａ）底面図、（ｂ）図１８（ｂ）のＨ−Ｈ断面図である。
【図２０】本発明の実施例２に係る照明器具用構造体Ｓにおける押し板を示す（ａ）、正面図（ｂ）平面図、（ｃ）縦断面図である。
【図２１】（ａ）本発明の実施例２における光源保護カバー及び接続部、照明基体との組立構造の一部拡大断面図、（ｂ）他の組立構造（実施例３）の一部拡大断面図、（ｃ）更なる他の組立構造（実施例４）の一部拡大断面図である。
【図２２】本発明の実施例２に係る照明器具用構造体を用いてシーリングライトを構成する（ａ）組立前の状態を示す説明斜視図、（ｂ）外カバーを示す説明斜視図である。
【図２３】本発明の実施例３に係る照明器具用構造体Ｓを構成する光源保護カバー及び接続部と照明基体９、外カバー６との関係を示す説明図である。
【図２４】本発明の実施例４に係る照明器具用構造体Ｓを構成する光源保護カバー及び接続部と照明基体９、外カバー６との関係を示す説明図である。
【発明を実施するための形態】
【００３７】
以下に本発明の実施例として、照明器具の光源保護カバー１と接続部２とを有する組立構造体Ｓを説明する。尚、本発明は以下の実施例に限定されるものではなく、本発明の明細書等に開示される技術的思想の範囲内で、種々の変形、設計変更等が可能な範囲に及ぶ。また、本発明の説明上、設置時に下方となる側（床側）を「下方側」又は「表側」とし、設置時に上方となる側（天井側）を「上方側」又は「裏側」とする。
【００３８】
（シーリングライトの照明基体９の構成概要０１）
尚、本実施例に係る照明器具用構造体Ｓの説明に先立ち、本実施例に対応して形成される照明器具Ｌ（シーリングライト）の基本構成について一例を説明する。
【００３９】
照明器具Ｌ（シーリングライト）は、基本構成として、照明基体９を有する。
当該照明基体９は、図２、図３に示すように、金属製円板である水平な平面９１（即ち表面側となる面）と、その中央に形成される基体開口部９０（その中心を通る鉛直線を中心軸Ｃ１とする。）と、前記平面９１の外側には周壁面９６と該周壁面９６から外方へ連続する水平環状面９７と、該水平環状面９７から屈曲形成される補強周縁部９８とを備えている。平面９１の外周寄りの位置には前記光源保護カバー１を取付けるための複数（例えば八箇所）の差込用穴９５が配列されている。また図３（ｂ）に示すように、水平環状面９７上には、照明器具Ｌを設置面へ設置する際に位置決めするための位置決め部材Ｇを設けることができる。位置決め部材Ｇは設置時の位置を決定するためのものであり、設置時に天井を押圧可能とするものである。位置決め部材Ｇの上面が押圧面ｇ１となる。
【００４０】
また、前記照明基体９の水平な前記平面９１には、ＬＥＤ基板Ｌ１０が設けられる。ＬＥＤ基板Ｌ１０上には、下方に向けて光を照射するように光源（ＬＥＤ素子）Ｌ１１が配列されている。
前記基体開口部９０の縁部９０ａの三箇所に、貫通穴９３を有する舌片部９２を設けてある。
【００４１】
また、本実施例１に係る照明器具用構造体Ｓの説明に先立ち、設置面Ｆの一例である天井面に設けられる従来公知の設置用部材であって、タイプ１の設置用部材について図１（ａ）〜（ｃ）、図２を参照し、説明する。
【００４２】
タイプ１の設置用部材は、図１（ｂ）において上部側が天井面に当接するように設置される設置部材（引丸型の引掛けシーリング）である。底面ｉ２は図１（ｃ）に示すように円板状として形成されており、円板の中心を基準として点対称なｉ３と該ｉ３の円周上となる右回転方向に連続するｉ４を有する。設置用部材内には図示されない接続端子が格納される。設置用部材自体は、天井面に固定されるため、回動しない。
【実施例１】
【００４３】
そして、本発明の実施例１に係る照明器具用構造体Ｓは、図２に示すように、天井に据え付けられる設置用部材ｉに対して接続される接続部２と光源保護カバー１を有する構造であって、新規なシーリングライト等の照明器具Ｌの一部を構成するものである。
【００４４】
本実施例１に係る照明器具用構造体Ｓは、透光性を有する合成樹脂で構成され、光源保護カバー１（図４、図５参照。）と、当該光源保護カバー１の中央に配置される接続部２（図６〜図８参照。）とを有する。
【００４５】
前記光源保護カバー１は、前記図４、図５に示すように、中央にカバー開口部１０を有し、該カバー開口部１０の縁部１０ａに円環状の平坦な摺動部１１として構成し、摺動部１１より外側に表面側へ膨らんだ光源被覆部１２を備え、該光源被覆部１２の外周には、円環状の平坦な外縁部１３を備えている。
【００４６】
前記摺動部１１は、裏面１１ａ（設置時における上面）に円筒状の突起となる規制部１４を備える。当該規制部１４は、カバー開口部１０の中心を基準として１２０°間隔で設けられる。規制部１４は中央に筒穴１４０を有する。
【００４７】
また光源保護カバー１において前記摺動部１１から連続する前記光源被覆部１２の曲面には、スリット状の通気部１５を備える。
【００４８】
また光源保護カバー１の前記外縁部１３の複数個所（八箇所）に外縁切欠１３０を設けるとともに、該外縁切欠１３０に近接する裏面に、フック状の板部１３１を設けてある。
【００４９】
そして、本発明の実施例１に係る接続部２は、前記図６〜図８に示すように、回動ホルダ部２０（ホルダ部）と操作部２１とを有する。回動ホルダ部２０と操作部２１は回動操作においては一体として回動するものである。一方、高さ調整については回動ホルダ部２０に対して操作部２１は上下に移動・係止が可能となるものである。
【００５０】
前記回動ホルダ部２０は、図８、図９に示すように、筒状体の一端側寄りの外周面２００に径方向外側へ向けて延設される鍔部２０１を設けた構成である。また中央には、操作部２１を上下方向へ移動可能とするための開口部２２を有している。
【００５１】
開口部２２は、概ね操作部２１の胴部２１０ａの輪郭に対応した形状に形成してある。即ち、当該開口部２２は小径開口形成部２２ａ同士、大径開口形成部２２ｂ同士が夫々対向した形状で形成されている。
【００５２】
小径開口形成部２２ａの位置においては、操作部２１の胴部２１０ａとの隙間が０．５ｍｍ程度となるように設定してある。また大径開口形成部位置においては、円弧状平板となる仕切部２０７を備えている。図８等に示すように、仕切部２０７間の寸法ｗ１は、操作部２１における操作部上部片２１０の長さ寸法ｗ２、及び、操作部下部片２１１の長さ寸法ｗ３よりも小さく設定されている。このため、操作部２１は回動ホルダ部２０から離脱しない構成としてある。当該構成によって、操作部２１と回動ホルダ部２０との相対的な移動を確保するとともに、当該隙間に対して埃や虫等が入り難い効果を得ることが可能である。
【００５３】
また開口部２２の他端側の縁部から当該開口部２２の軸中心と平行でかつ前記胴部２１０ａの輪郭に対応して立設された取付ガイド部２０５を備える。
【００５４】
鍔部２０１には複数の長穴２０２ａと該長穴２０２ａから連続して折り返すように形成された切欠２０２ｂを備える。前記複数の長穴２０２ａは、回動ガイド部２０２として機能する（図１５参照。）。
【００５５】
前記長穴２０２ａと切欠２０２ｂの間には腕部２０３が構成される。腕部２０３は前記長穴２０２ａに臨む膨出部２０４を有している。当該膨出部２０４は、腕部２０３の側面から長穴２０２ａの幅方向へ膨らんだ第一の膨出面２０４ａと該膨出面２０４ａに連続する膨出端部２０４ｂと該膨出端部２０４ｂから緩やかに端部へ向けて緩やかに幅寸法が減少する第二の膨出面２０４ｃとを有する。
【００５６】
本実施例に係る操作部２１は、主として、図８、図１０、図１１に示すように、操作部上部片２１０、操作部下部片２１１、及びこれらの間に格納される、着脱手段２３、接続端子２４、配線接続金具２５、回動阻止部２６を備える。
【００５７】
操作部上片部２１０及び操作部下片部２１１は、回動ホルダ部２０の開口部２２における仕切部２０７を挟み込み、且つ、前記着脱手段２３、接続端子２４、配線接続金具２５、回動阻止部２６を格納して、一体とされる。
【００５８】
操作部上部片２１０は、上部片ベース２１０ｈの下面側に接続端子格納部２１０ｆを一体として有している。上部片ベースは左右方向へ延設された張出部２１０ｉを備える。また、上部片ベース２１０ｈの上面には、ガイド表示部２１０ｄと、配線を案内する配線接続通路２１０ｂと、接続端子を上方へ突出させる接続端子取付穴２１０ｃを有している。
【００５９】
またガイド表示部２１０ｄは、小溝を枠状に形成してなる枠表示２１０ｄ１と、前記接続端子取付穴２１０ｃに連続し且つ接続端子の回動軌跡に一致する小溝を弧状に形成してなる弧表示２１０ｄ２を有する。
【００６０】
前記上部片ベース２１０ｈは下方の接続端子格納部２１０ｆから導出される配線接続金具、配線を通過させるための各導出用開口を有する。これらの導出用開口を除き、他の部分は閉塞されている。
【００６１】
前記接続端子格納部２１０ｆは、配線接続金具２５と接続端子２４を接触状態で保持し、且つ、接続端子２４の接続端を２１１ｃから前記上部片ベース２１０ｈへ逃がし、当該操作部上部片２１０上に突出した状態が保持される。本実施例においては、接続端子２４は操作部上部片２１０に対してビス止めされている。
【００６２】
先端の被覆を剥離した配線を前記上部片ベース２１０ｈの配線接続通路２１０ｂに案内させ操作部上部片２１０へ差し込むことにより、接続端子格納部２１０ｆ内の前記配線接続金具２５に保持され、接続端子２４の接続端までの導通が確保される。
【００６３】
操作部下部片２１１は、前記操作部上部片２１０の下部と組合せ可能に構成されており、一対の着脱手段２３を対向した状態で、弾性部材２３０（コイルばね）で外方へ付勢する区画である着脱手段格納部２１１ａを有する。着脱手段格納部２１１ａの下部は、大きく切欠されている。また、操作部下部片２１１は回動阻止部２６を格納するための区画である回動阻止部格納部２１１ｂを有する。
【００６４】
当該着脱手段２３は、外側面における下端側に幅方向に亘って押圧部２３ａを備え、外側面の上部には幅方向に亘って係止部２３ｂを備える。前記押圧部２３ａと係止部２３ｂとの間には幅方向に亘って凹部を有する。前記着脱手段格納部２１１ａにおける内側に弾性部材２３０（コイルばね）を保持し、外側に着脱手段を配置することによって、着脱手段は外側に向けて付勢された状態が維持される。
【００６５】
回動阻止部２６は、設置用部材ｉへ操作部２１を取着した後、不用意な回動を阻止するものである。回動阻止片２６０と阻止解除部２６１と弾性部材２６２（コイルばね）を有する。回動阻止部２６０は上端部に回動を阻止するための阻止端部２６０ａを備え、側面にガイド傾斜部２６０ｂを有する。
阻止解除部２６１は一側面に押圧部２６１ａを有し、他側面側に傾斜した押し込み部２６１ｂを有する。
【００６６】
回動阻止片２６０は弾性部材２６２によって上方へ付勢された状態が維持されている。阻止解除部２６１の押し込み部２６１ｂが前記回動阻止片２６０の側方からガイド傾斜部２６０ｂに当接し、阻止解除部２６１が回動阻止片２６０へ押し込まれると共に、回動阻止片２６０が下方へ移動することで、操作部２１の阻止端部突出穴２１０ｅから突出した阻止端部２６０ａが阻止端部突出穴２１０ｅ内へ没入可能となる。
【００６７】
また阻止解除部２６１によらない場合において、回動阻止片２６０は上方から押圧されると前記弾性部材２６２（コイルばね）が縮小し、操作部２１の阻止端部突出穴２１０ｅから突出した阻止端部２６０ａが阻止端部突出穴２１０ｅ内へ没入可能となる。
【００６８】
本実施例１に係る照明器具用構造体Ｓは、前記した接続部２及び光源保護カバー１を構成の基本とするものであり、これによって操作部２１の回転機構、更には上下方向の調節機構を提供するものである（図１２〜図１４参照。）
【００６９】
ここで操作部２１の回転機構は、接続部２の端子が天井の設置用部材ｉに位置決めされた状態で、光源保護カバー１若しくは照明基体９を回動させることなく、当該操作部２１のみを回転させることにより、前記接続部２の端子と天井の設置用部材ｉを嵌着させるための機構である。
また操作部２１の上下方向の調節機構は、予め設置された天井の設置用部材ｉの種類に対応して、照明装置の端子の高さを最適なものに適合させるための機構である。
【００７０】
本実施例においては、光源保護カバー１の裏面に突出する規制部１４が、接続部２の回動ガイド部２０２内には嵌り込んだ状態において、照明基体９に対して光源保護カバー１が固定される。
【００７１】
本実施例において光源保護カバー１と照明基体９との固定は、光源保護カバー１に形成された規制部１４の筒穴１４０を通じて、照明基体９の舌片部９２に設けた貫通穴９３まで、光源保護カバー１側から雄螺子７０を通し、他端側で雌螺子（ナット）７１を用いて固定することで行う。
【００７２】
また、光源保護カバー１の外縁部１３の複数個所に外縁切欠１３０を設けるとともに、該外縁切欠１３０に近接する裏面に、フック状の板部１３１を設けて、照明基体９の平面周縁部９１に設けた係止用開口部９５に前記板部１３１をスライドして差し込み、更に、図示されない螺子を用いて、光源保護カバー１に設けた小穴を介して、照明基体９の表面に形成した螺子穴に対して固定する構成としている（これらの螺子、光源保護カバー１の小穴、照明基体９の前記螺子穴はいずれも記載を省略する。）。
【００７３】
当該構成によって、光源保護カバー１の摺動部１１に対して、回動ホルダ部２０の鍔部２０１が、前記回動ガイド部と規制部によって制限された範囲内で、摺動可能となる。操作部２１の摺動に伴って接続端子２４も回動するため、前記操作部２１の操作により設置用部材ｉへの接続端子２４の取付が可能となる。
【００７４】
この際に、回動ガイド部２０２が規制部１４により許容される範囲内で、操作部２１は回動可能となる。即ち、操作部２１の回動範囲は、設置用部材ｉに対する接続部２１の回動範囲であり、且つ、回動ガイド部２０２に対する規制部１４の回動範囲である。
回動ガイド部２０２に臨んで腕部２０３及び膨出部２０４が設けられており、初期状態（回動させる前の状態）において、前記規制部１４は膨出部２０４でロックされている。即ち、設置部材と接続部との位置合わせ時点までは、照明基体９に対して接続部２が回動すると操作が著しく行い難くなることから、当該位置合わせ時点までは規制部１４を剖出部２０４でロックしておくことで照明基体９に対して接続部２が回動しないようにしてある。
【００７５】
次に、図１（ａ）〜（ｃ）に開示した設置用部材ｉ（引掛シーリング）への取付を例として示すと、先ず、当該設置用部材ｉの二箇所の穴部ｉ３に対して接続部材２の二本の接続端子２４を挿入し、位置決めをする。
この状態において、一方の手で照明基体９を上方（天井）へ押圧しつつ、他方の手で操作部を回動させる。
【００７６】
操作部２１の回動によって、図１５（ａ）〜（ｄ）に示すように、初期位置、即ち、規制部１４が第一の膨出面２０４ａ側でロックされている状態から、図１５（ｂ）膨出部２０４の第一の膨出面２０４ａに規制部１４が当接することによって、腕部２０３が撓るとともに膨出部２０４は少し後退（操作部２１の径方向内側へ移動）しながら、前記規制部１４の回動に一定の抵抗力を付与し且つ当該規制部１４の更なる回動を許容する。
そして図１５（ｃ）に示すように、規制部１４は膨出部２０４の膨出端部２０４ｂを超えると速やかに第二の膨出面２０４ｃ側へ嵌り込んで、（ｄ）に示すように、回動ガイド部２０２の端部へ到達する。
規制部１４と回動ガイド部２０２の端部２０２ｃが当接する際に、僅かな衝突音を生じ、回動が終了したことを認識させる。そして腕部２０３及び膨出部２０４が元の位置へ復帰する。
【００７７】
当該操作によって、前記接続部材２の二本の接続端子２４を前記穴部ｉ３に連続する弧状スリットに沿って、図１（ｃ）底面図において右回りに、弧状スリットが形成されている範囲で（設置用部材ｉの種類等によって概ね３２°〜４０°程度の範囲で）前記接続部材２を回動する。
以上によって、照明器具を前記設置用部材ｉに取着し、当該接続端子２４と設置用部材ｉ内の図示されない接続端子を接続できる。
【００７８】
この回動動作中において、阻止端部２６０ａは上方の設置用部材ｉに当接して阻止端部突出穴２１０ｅ内へ没入されている。そして、規制部１４が回動ガイド部２０２の端部へ到達する位置において、前記設置用部材ｉの下面ｉ２に設けられた穴部ｉ３に対して前記阻止端部２６０ａを嵌入する。
【００７９】
接続端子２４を設置用部材ｉから取り外すには、操作部２１を逆向きに回動させる必要がある。ここで、規制部１４自体は膨出面２０４によるロック状態にはないものの、前記設置用部材ｉの下面ｉ２に設けられた穴部ｉ３（図１参照。）に対して前記阻止端部２６０ａが嵌入していることで、完全にロック状態が保たれている。
【００８０】
この状態から、阻止解除部２６１を回動阻止片２６０へ押し込んで、回動阻止片が下方へ移動させ、操作部２１の阻止端部突出穴２１０ｅから突出した阻止端部２６０ａを阻止端部突出穴２１０ｅ内へ没入させる操作を行うことで、回動が可能となる。この状態で、操作部２１の回動操作をすることで、併せて接続端子２４も回動する。また、規制部１４は第二の膨出面２０４を乗り越えることによってもとの位置に復帰する。
【００８１】
また、本実施例１に係る接続部２は、複数種類の設置用部材ｉに対して照明器具Ｌの取付を可能とすべく、通常位置（第一段階の位置）、上方位置（第二段階の位置）の二段階での高さ調整を可能とする機構を有している（図６、図７、図１６参照。）。
【００８２】
通常位置（第一段階の位置）においては、図６、図１６（ａ）（ｂ）に示すように、操作部２１における操作部上部片２１０の上面２１０ｊ（接続端子２４を除く部分）と回動ホルダ部２０の枠縁上面２０８とが略同一水平面（同一高さ）となる位置である。回動ホルダ部２０に対して操作部２１が移動可能な下限位置にある状態である。
【００８３】
上方位置（第二段階の位置）においては、図７、図１６（ｄ）に示すように、操作部２１における操作部上部片２１０の上面２１０ｊ（接続端子２４を除く部分）と回動ホルダ部２０の取付ガイド部２０５の上面２０６とが略同一水平面（同一高さ）となる位置である。
回動ホルダ部２０に対して操作部２１が移動可能な上限位置にある状態である。
【００８４】
上記第一段階の配置においては、着脱手段２３の押圧部２３ａの上面と係止部２３ｂの下面との間に回動ホルダ部２０の鍔部２０１が係止した構成である。
また上記第二段階の配置においては、着脱手段の係止部２３ｂの上面と操作部上部片２１０の張出部２１０ｉの下面との間に回動ホルダ部２０の鍔部２０１が係止した構成である。
【００８５】
上記第一段階の配置、第二段階の配置の切り替えは、図１６（ｃ）に示すように、対向する着脱手段２３を弾性部材２３０の反発弾性に抗しながら指で押さえて相互に近づけ、仕切部２０７間の寸法ｗ１よりも着脱手段２３の外周面相互間の寸法を小さくすることで、着脱手段２３の係止部２３ｂが前記鍔部２０１に引掛からない構成として、前記操作部２１を回動ホルダ部２０に対して上下方向に移動させることで行うことができる。着脱手段２３から指を離すと前記弾性部材２３０のばね弾性によって、元の位置に復元するから、所望の第一段階若しくは第二段階の配置とすることができる。
【実施例２】
【００８６】
次に本発明の実施例２に係る照明器具用構造体Ｓは、従来のシーリングライト等の基体に対しても取着可能であり、製造過程において本実施例１に係る照明器具用構造体を前記従来の基体等に対して組み付けることで、本願発明の作用効果を奏する照明器具とすることが可能となるものである。
【００８７】
そして本発明の実施例２に係る照明器具用構造体Ｓは、実施例１に係る照明器具用構造体Ｓと同様に、天井に据え付けられる接続部２と光源保護カバー１を有する構造であって、照明器具であるシーリングライトＬの一部を構成するものである。
【００８８】
本実施例２に係る照明器具用構造体Ｓは、透光性を有する合成樹脂で形成され、図１７に示すように、光源保護カバー１と、押え板４と、前記光源保護カバー１に対して回動可能に設けられる接続部２とを備える。尚、接続部２の構成は上記実施例１と共通である。このため、接続部２の詳細な構成は実施例１の記載（図１〜図１１を含む。）を参照する。また前記押え板４は、実施例２及び後述する実施例３、４に備えるものであり、実施例１にはない構成である。
【００８９】
本実施例２における光源保護カバー１は、実施例１に係る光源保護カバー１と同様に、中央にカバー開口部１０を有し、該カバー開口部１０の縁部１０ａに円環状の平坦な摺動部１１として構成し、摺動部１１より外側に表面側へ膨らんだ光源被覆部１２を備え、該光源被覆部１２の外周には、円環状の平坦な外縁部１３を備えている。また光源保護カバー１において前記摺動部１１から連続する前記光源被覆部１２の曲面には、スリット状の通気部１５を備える（図１８、図１９参照。）。
【００９０】
その一方で、本実施例２に係る光源保護カバー１は、実施例１に開示した円筒状の規制部を有しておらず、当該箇所には貫通穴１４１を備えた構成である。
【００９１】
前記押え板４は、図２０に示すように、環状の平板であり、前記光源保護カバー１の貫通穴と対応する箇所に円筒状の規制部３を設けた構成である。規制部３に形成した円筒を構成する筒穴３０は前記光源保護カバー１の貫通穴と略共通する大きさとしてある。
【００９２】
本実施例２に係る照明器具用構造体によれば、上記実施例１と同様に照明器具Ｌの一部として構成することが可能である。また、従来の照明器具Ｌの一部として適用することができる。
【００９３】
本実施例２に係る照明器具用構造体Ｓを取着する照明器具Ｌの照明基体９（図３参照。）は、一例として、金属製円板である水平な平面９１（即ち表面側となる面）と、その中央に形成される基体開口部９０と、前記平面９１の外側には周壁面９６と該周壁面９６から外方へ連続する水平環状面９７と、該水平環状面９７から屈曲形成される補強周縁部９８とを備えている。
【００９４】
また、前記照明基体９の水平な前記平面９１には、ＬＥＤ基板Ｌ１０が設けられる。ＬＥＤ基板Ｌ１０上には、下方に向けて光を照射するように光源（ＬＥＤ素子）Ｌ１１が配列されている。前記基体開口部９０の縁部９０ａの三箇所には、貫通穴９３を有する舌片部９２を備えている。
【００９５】
また前記照明基体９の水平な裏面には制御回路部５を設けてある。制御回路部５は、操作部２１から配線接続通路２１０ｂを介して配線が接続される。
【００９６】
本実施例２に係る照明器具用構造体Ｓは、図１７、図２１（ａ）、図２２に示すように、照明基体９の下方側に光源保護カバー１を配置し、当該光源保護カバー１の下方側に本実施例２に係る接続部２を配置し、更に当該接続部２における鍔部２０１の下方側に規制部３を上方へ向けて押し板４を配置した構成である。
【００９７】
前記押し板４の筒状の規制部３は、鍔部２０１における回動ガイド部２０２内に配置される。また当該規制部３の筒状を形成する穴から、当該回動ガイド部２０２、光源保護カバー１の貫通穴１４１まで、若しくはこれに加えて照明基体９の貫通穴９３までを螺子止めすることが可能である。
【００９８】
以上の構成によって、前記接続部２における鍔部２０１が、光源保護カバー１と押し板４との間にあって、当該光源保護カバー１と押し板４に摺動して、該同ガイド部２０２及び規制部３で規制される範囲内で、回動が可能となる。
【００９９】
また、他の実施例として、図２３及び図２１（ｂ）に開示する実施例３、図２４及び図２１（ｃ）に示す実施例４のように、光源保護カバー１、押し板４、接続部２の配置を変更することも可能である。
【０１００】
本発明の上記いずれの実施例においても、例えば図１（ａ）〜（ｃ）に示す設置用部材ｉに対して、照明器具用構造体Ｓ（若しくは当該照明器具用構造体Ｓを備えた照明器具Ｌ）を取着するには、上記第一段階の配置において行うことができる。即ち、上記したように、第一段階の配置においては、操作部２１における操作部上部片２１０の上面２１０ｊ（接続端子２４を除く部分）と回動ホルダ部２０の枠縁上面２０８とが略同一水平面（同一高さ）となる位置となっており、当該水平面に対して設置用部材ｉの下面ｉ２が当接することとなる。
【０１０１】
取着の際には、外部カバー６を取り外した照明器具Ｌの下方側から透明の接続部２を介して前記設置用部材ｉを視認しつつ行うことができる。そして、取付ガイド部２０５が当該設置用部材ｉの外周に沿うため、照明器具Ｌの水平を容易に保持しながら、簡単に位置合わせを行うことができる。また、接続部２を回動させる際には、一方の手で光源保護カバー１を天井に向けて押えた状態で、他方の手で接続部２における操作部２１を回動させるだけでよく、また、軽量な操作部のみを回動させることから、非常に作業負担が小さく、安全性を確保できる。
【０１０２】
また例えば図１（ｄ）〜（ｆ）に示す設置用部材ｉに対して、照明器具用構造体Ｓ（若しくは当該照明器具用構造体Ｓを備えた照明器具）を取着するには、同様に上記第一段階の配置において行うことができる。当該設置用部材ｉにおいては、取着の際には、外部カバー６を取り外した照明器具Ｌの下方側から透明の接続部２を介して、前記設置用部材ｉとガイド表示部２１０ｄ１、２１０ｄ２を視認しつつ行うことができるので、簡単に位置合わせを行うことができる。
【０１０３】
また例えば図１（ｇ）〜（ｉ）に示す設置用部材ｉに対して、照明器具用構造体Ｓ（若しくは当該照明器具用構造体Ｓを備えた照明器具Ｌ）を取着するには、上記第二段階の配置において行うことができる。即ち、上記したように、上方位置（第二段階）においては、操作部２１における操作部上部片２１０の上面（接続端子２４を除く部分）と回動ホルダ部２０の取付ガイド部２０５の上面とが略同一水平面（同一高さ）となる位置となっており、当該水平面に対して設置用部材ｉの下面ｉ２が当接することとなる。当該設置用部材ｉにおいては、取着の際には、接続端子を設置用部材ｉの穴部ｉ３に差し込んだ状態で操作部２１の水平な上面を設置用部材ｉの下面ｉ２に当接させ、外部カバー６を取り外した照明器具Ｌの下方側から透明の接続部２を介して、前記設置用部材ｉとガイド表示部２１０ｄ２を視認しつつ回動操作を行うことができるので、簡単に位置合わせを行うことができる。
【０１０４】
前記摺動部１１は、裏面１１ａ（設置時における上面）に円筒状の突起となる規制部１４を備える。当該規制部１４は、カバー開口部１０の中心を基準として１２０°間隔で合計３箇所に設けているが、本発明は当該配列角度、規制部の数量等を限定するものではなく、少なくとも一以上の規制部１４があればよい趣旨である。
【０１０５】
また本発明において用いることができる合成樹脂は、特に限定されるものではなく、光透過性、即ち、透明若しくは半透明であればよい趣旨である。しかしながら、実用性を高める観点からすれば、耐久性、耐熱性に優れた素材が好ましく、例えば、ポリカーボネート等を用いることができる。
【０１０６】
上記実施例１においては、光源保護カバー１と照明基体９との固定は、光源保護カバー１に形成された規制部１４が構成する筒体の中央を通じて、照明基体９の舌片部９２に設けた貫通穴９３まで、光源保護カバー１側から螺子を通し、他端側でナットを用いて固定する構成としたが、本発明は上記実施例の構成に限定されるものではない。例えば、規制部１４には筒穴１４０を形成せず、光源保護カバー１の外縁部１３と照明基体９の平面周縁部９１ａとを螺子止めした構成等とすることもできる。
【０１０７】
規制部１４に形成した円筒を構成する筒穴１４０は前記光源保護カバー１の貫通穴と略共通する大きさとしてあるが、本発明はこれに限るものではなく、光源保護カバー１の貫通穴内に嵌り込むものとすることもできる。
【０１０８】
また、本発明の上記実施例１、２において光源保護カバー１の外縁部１３の複数個所に外縁切欠１３０を設けるとともに、該外縁切欠１３０に近接する裏面に、フック状の板部１３１を設けて、照明基体９の平面周縁部９１ａに設けた係止用開口部９５に前記板部１３１をスライドして差し込み、固定する構成としているが、本願発明は上記実施例に限るものではない。その他、種々の公知の係脱手段若しくは固着手段により、光源保護カバー１と照明基体とを係止若しくは固着することができる。
【０１０９】
また、本発明の実施例によれば、操作部２１に小溝によって形成したガイド表示部２１０ｄ（２１０ｄ１、２１０ｄ２）を設けた構成としたが、ガイド表示部２１０ｄは当該構成に限定されるものではなく、例えば小溝に代えて塗料を用いた着色や薄膜シートの貼付等により行うことも可能である。ガイド表示部２１０ｄは、操作部２１の上面は設置用部材ｉと接触する面であることから、操作部２１の上面に対して凸状に設けられるよりはむしろ凹状に設けられる方が好ましい。
【０１１０】
また、本発明の実施例によれば、操作部２１は操作部上部片２１０と操作部下部片２１１とを回動ホルダ部２０の上下から挟み込む構成として実現しているが、本発明は当該構成に限定されるものではなく、例えば、操作部２１を一体として構成し、回動ホルダ部２０に保持させる構成とすることもできる。
【０１１１】
また、操作部２１の平面視輪郭を取付ガイド部の輪郭と略一致させることによって、操作部２１の上下動が、ホルダ部２０と操作部２１との僅かな隙間等によって引掛り等が生じやすくなるところ、当該取付ガイド部によって、前記引掛り等を抑制し、円滑な操作に資することが可能である。
【符号の説明】
【０１１２】
Ｃ１        中心軸（基体開口部の中心軸）
Ｆ          設置面（天井面）
Ｇ          位置決め部材
ｇ１        押圧面
ｉ          設置用部材
ｉ２        下面（設置用部材の下面）
ｉ３        穴部（設置用部材の穴部）
ｉ４        
Ｌ          照明器具
Ｌ１０      ＬＥＤ基板
Ｌ１１      光源（ＬＥＤ素子）
Ｓ          照明器具用構造体
ｗ１        寸法
ｗ２        寸法
ｗ３        寸法
１          光源保護カバー
１０        カバー開口部
１０ａ      縁部
１１        摺動部
１２        光源被覆部
１３        外縁部
１３０      外縁切欠
１３１      板部
１４        規制部（規制突起）
１４０      筒穴
１４１      貫通穴
１５        通気部
２          接続部
２０        回動ホルダ部・ホルダ部
２００      外周面
２０１      鍔部
２０２      回動ガイド部（切欠部）
２０２ａ    長穴
２０２ｂ    切欠
２０２ｃ    端部
２０３      腕部
２０４      膨出部
２０４ａ    第一の膨出面
２０４ｂ    膨出端部
２０４ｃ    第二の膨出面
２０５      取付ガイド部
２０６      上面（取付ガイド部の上面）
２０７      仕切部
２０８      枠縁上面
２１        操作部
２１０      操作部上部片
２１０ａ    胴部
２１０ｂ    配線接続通路
２１０ｃ    接続端子取付穴
２１０ｄ    ガイド表示部
２１０ｅ    阻止端部突出穴
２１０ｆ    接続端子格納部
２１０ｈ    上部片ベース
２１０ｉ    張出部
２１０ｊ    上面
２１１      操作部下部片
２１１ａ    着脱手段格納部
２１１ｂ    回動阻止部格納部
２２        開口（ホルダ部の開口）
２２ａ      小径開口形成部
２２ｂ      大径開口形成部
２３        着脱手段（ホルダに対する操作部の着脱手段）
２３ａ      押圧部
２３ｂ      係止部
２３ｃ      凹部
２３０      弾性部材（コイルばね）
２４        接続端子
２５        配線接続金具
２６        回動阻止部
２６０      回動阻止片
２６０ａ    阻止端部
２６１      阻止解除部
２６１ａ    押圧部
２６１ｂ    押し込み部
２６２      弾性部材（コイルばね）
３          規制部
３０        筒穴
４          押え板
５          制御回路部
６          外カバー
７０        雄螺子
７１        雌螺子（ナット）
９          照明基体
９０        基体開口部
９０ａ      縁部
９１        平面
９１ａ      平面周縁部
９２        舌片部
９３        貫通穴
９４        外カバー取付用フック
９５        係止用開口部
９６        周壁面
９７        水平環状面
９８        補強周縁部
【図１】
2019053833.tif 000003
【図２】
2019053833.tif 000004
【図３】
2019053833.tif 000005
【図４】
2019053833.tif 000006
【図５】
2019053833.tif 000007
【図６】
2019053833.tif 000008
【図７】
2019053833.tif 000009
【図８】
2019053833.tif 000010
【図９】
2019053833.tif 000011
【図１０】
2019053833.tif 000012
【図１１】
2019053833.tif 000013
【図１２】
2019053833.tif 000014
【図１３】
2019053833.tif 000015
【図１４】
2019053833.tif 000016
【図１５】
2019053833.tif 000017
【図１６】
2019053833.tif 000018
【図１７】
2019053833.tif 000019
【図１８】
2019053833.tif 000020
【図１９】
2019053833.tif 000021
【図２０】
2019053833.tif 000022
【図２１】
2019053833.tif 000023
【図２２】
2019053833.tif 000024
【図２３】
2019053833.tif 000025
【図２４】
2019053833.tif 000026
【手続補正書】
【提出日】平成30年3月16日(2018.3.16)
【手続補正１】
【補正対象書類名】明細書
【補正対象項目名】全文
【補正方法】変更
【補正の内容】
【発明の詳細な説明】
【技術分野】
【０００１】
本発明は、主としてシーリングライト等の照明器具の構成部品のうち、設置面に予め設けられた設置用部材に対して当該照明器具を取着するための接続部と、照明器具内の光源を保護するための光源保護カバーとを有する照明器具用構造体、及び、当該照明器具用構造体を備えたシーリングライト等の照明器具に関する。
【背景技術】
【０００２】
一般に、シーリングライト等の照明器具は、天井面等の設置面に予め設けられた前記設置用部材（例えば、図１（ａ）〜（ｃ）に示す丸型シーリング、（ｄ）〜（ｆ）に示す角型シーリング、（ｇ）〜（ｉ）に示す埋め込みローゼットのような種々の形状を有する引掛シーリング、若しくは埋め込みローゼット等）に対して、取着することで設置される。
【０００３】
設置用部材に対する照明器具の取着には、例えば前記したいずれかの引掛けシーリング等に対応したアダプタを、当該照明器具よりも先に当該引掛けシーリング等に対して取着することが一般的である。
当該アダプタは、通常、外部へ接続する配線部とその先端に設けられるコネクタを有している。
当該アダプタに対して、前記照明器具の照明器具本体（外カバーを外したもの）を取着し、更に、アダプタに設けられたコネクタを前記照明器具本体に接続した上で、当該照明器具の外カバーを取着する。
【０００４】
しかしこのような従来のシーリングライト等の照明器具は、コネクタを有するアダプタを用いた取付方法が煩雑であることから、より利便性の高い構成として、照明装置の本体中央部にアダプタを把持可能に設け、当該本体中央部を把持し、シーリングライト全体を回転させながら、天井面に設けられた設置用部材に当該照明器具を取着・接続する照明器具が公知である（例えば、特許文献１、２参照。）。
【先行技術文献】
【特許文献】
【０００５】
【特許文献１】特開２００２−１０９９１２号公報
【特許文献２】特許第５７９３２６４号公報
【発明の概要】
【発明が解決しようとする課題】
【０００６】
上記特許文献１、２に係る発明の構成によれば、シーリングライトの中央を把持し、当該シーリングライトを天井面に設けられた設置用部材に取付けるものであることから、照明器具の設置の度にアダプタを個別に設置する必要がなく、設置の際の利便性を向上させることができる。しかしながら、シーリングライト側の端子を、天井側の設置用部材の位置をあわせた後、シーリングライト全体を回動させる操作が必要となる。
【０００７】
作業者が、天井側へ持ち上げた重量物であるシーリングライト全体の水平を保ちながら上記回動操作を行うには、その重量に応じた所定の力で行う必要があり、作業負担が大きいものである。
【０００８】
またシーリングライト全体の回動の際に、重量に抗しつつ水平を保ちながら回動させることに失敗すると、接続端子と天井の設置用部材とが全く係合されないか、若しくは不十分な片掛かり（例えば、二箇所の掛止によって保持が可能となるところ、一箇所のみの掛止がされることで、不十分な保持となること）の状態となり、当該シーリングライトを落下させる虞がある。
【０００９】
更に、設置用部材は、前記図１に示したように、形状の異なる複数の種類のものが存在する。特許文献２におけるシーリングライトの取付に際しても、これらの複数の種類の設置用部材への取付に際して、その形状に応じた構成が求められる。当該特許文献２においては、必要に応じて、スペーサを設ける構成としているが、このようなスペーサを設けることは、部品点数の増加、作業性の低下を招来する点で負担が大きく、問題であった。
【００１０】
本発明は以上の事情に鑑みてなされたものであり、照明器具の設置用部材への取付けに際しての負担を軽減し、安全性を向上させることができる新規な照明器具用構造体、及びこれを備えた照明器具の提供を、発明が解決しようとする課題とする。
【課題を解決するための手段】
【００１１】
本発明は、照明基体の中央に基体開口部を備える照明器具に取着可能な照明器具用構造体であって、前記照明基体に配置された光源を被覆し、且つ、中央にカバー開口部を備える透光性の光源保護カバーと、前記基体開口部の中心軸と同軸で前記光源保護カバーに対して回動可能となる接続部を備え、前記接続部は、ホルダ部と操作部を有し、前記ホルダ部と操作部の少なくともいずれか一方は透光性を有し、前記ホルダ部は、円筒状の外周面を有し、該外周面には鍔部を備え、前記鍔部には光源保護カバー若しくは照明基体に対して一定範囲の回動を許容（案内）するためのガイド部２０２を備え、前記光源保護カバーに当接若しくは隣接する規制部を備え、前記規制部が、前記回動ガイド部内に配置されることを特徴とする照明器具用構造体を、上記課題を解決するための手段とする。
【００１２】
（削除）
【００１３】
また本発明は、上記発明の構成を前提として、前記回動ガイド部（切欠部）に隣接する腕部を備え、該腕部は前記回動ガイド部に面する膨出部を備え、該膨出部により前記規制部を保持可能としたことを特徴とする照明器具用構造体を、上記課題を解決するための手段とする。
【００１４】
また本発明は、上記いずれかの発明の構成を前提として、前記接続部と当接する押え板を備え、該押え板は前記規制部を備えることを特徴とする照明器具用構造体を、上記課題を解決するための手段とする。
【００１５】
また本発明は、上記いずれかの発明の構成を前提として、押え板に規制部を備える構成に代えて、前記規制部は、前記光源保護カバーのカバー開口部の周縁部の裏面に立設したことを特徴とする照明器具用構成体を、上記課題を解決するための手段とする。
【００１６】
また本発明によれば、上記いずれかの発明の構成を前提としたうえで、前記光源保護カバーの前記カバー開口部に対して前記接続部の一部が上下に移動可能であり且つ接続部の前記一部は当該光源保護カバーの複数の位置に対する係脱手段を有することを特徴とする照明器具用構成体を、上記課題を解決するための手段とする。
【００１７】
また本発明は、上記接続部の一部が上下に移動可能となる発明の構成を前提として、前記接続部は、ホルダ部と操作部を備え、前記ホルダ部は操作部を上下移動させるための開口を備え、前記操作部は、ホルダ部に対する複数位置での係脱手段と、接続端子とを備えたことを特徴とする照明器具用構造体を、上記課題を解決するための手段とする。
【００１８】
また本発明は、上記発明の構成を前提として、前記係脱手段は、径方向に外側へ付勢される拡縮可能な係脱手段であることを特徴とする照明器具用構造体を、上記課題を解決するための手段とする。
【００１９】
また本発明は、上記発明の構成を前提として、前記ホルダ部の開口周縁に取付ガイド部を備えたことを特徴とする照明器具用構造体を、上記課題を解決するための手段とする。
【００２０】
また本発明によれば、上記いずれかの発明の構成を前提として、操作部の接続端子を除く上面に、取付ガイド部を備えたことを特徴とする照明器具用構造体を、上記課題を解決するための手段とする。
【００２１】
また本発明によれば、上記いずれかの発明の構成を前提として、操作部の接続端子を除く上面を光透過性とし、当該上面に目印若しくは凹部によって構成されるガイド表示部を備えたことを特徴とする照明器具用構造体を、上記課題を解決するための手段とする。
【００２２】
また本発明によれば、上記いずれかの照明器具用構造体を備えた照明器具を、上記課題を解決するための手段とする。
【発明の効果】
【００２３】
本発明によれば、照明基体の中央に基体開口部を備える照明器具に取着可能な照明器具用構造体であって、前記照明基体に配置された光源を被覆し、且つ、中央にカバー開口部を備える透光性の光源保護カバーと、基体開口部の中心軸と同軸で前記光源保護カバーに対して回動可能となる接続部を備えたこととしたから、光源保護カバーが照明基体に固定された状態で、接続部のみを回動させると、従来と比較して非常に軽い力で設置用部材と接続部とを係止させることができる。また、回動に際して重量に抗しつつ水平を保ちながら光源保護カバーを取着した照明基体自体を回転させる必要がないことから、作業負担を低減することができる。そして、回動の際の全体の上下方向の意図しない移動等が低減され、接続端子と天井の設置用部材との係合の失敗や、これに伴うシーリングライトの落下の虞を低減することが可能である。
【００２４】
また本発明は上記構成を備えた上で、前記接続部は、ホルダ部と操作部を有し、前記ホルダ部と操作部の少なくともいずれか一方は透光性を有し、前記ホルダ部は、円筒状の外周面を有し、該外周面には鍔部を備え、前記鍔部には光源保護カバー若しくは照明基体に対して一定範囲の回動を許容（案内）するためのガイド部２０２を備え、前記光源保護カバーに当接若しくは隣接する規制部を備え、前記規制部が、前記回動ガイド部内に配置したから、前記鍔部が光源保護カバー若しくは照明基体に沿って、前記規制部が回動ガイド部内で移動可能な範囲において回動するため、上記作用効果を得られるうえに、当該回動ガイド部の設定によって、回動操作性を適切なものとすることができる。
【００２５】
また本発明は、上記構成を備えた上で、前記回動ガイド部（切欠部）に隣接する腕部を備え、該腕部は前記回動ガイド部に面する膨出部を備え、該膨出部により前記規制部を保持可能としたから、上記いずれかの作用効果を奏する上に、腕部の撓りにともなう円滑な回動操作性を実現され、更に、規制部が膨出部を乗り超えることで、一定の保持力と一定の解除に要する力を確保でき、不慮の規制部の移動を抑止でき、安全性を高めることができる。
【００２６】
また本発明は、上記いずれかの構成を備えた上で、前記接続部と当接する押え板を備え、該押え板は前記規制部を備えることによって、既存のシーリングライト等の照明装置に対して、一定範囲の回動を許容する本願発明の構成を適用することができる。
【００２７】
また本発明は、押え板に規制部を備える構成に代えて、前記規制部は、前記光源保護カバーのカバー開口部の周縁部の裏面に立設したことから、前記押え板を用いることなく、規制部を光源保護カバーと一体化することで部品点数が低減するから、材料コストの低廉化及び組立コストの低減を図ることが可能である。
【００２８】
また本発明は、上記いずれかの発明の構成を前提として、前記光源保護カバーの前記カバー開口部に対して前記接続部の一部が上下に移動可能であり且つ接続部の前記一部は当該光源保護カバーの複数の位置に対する係脱手段を有する構成としたことから、上記いずれかの発明の作用効果を奏する上に、接地面及び複数の設置用部材までの距離を調節することができ、この結果、スペーサを用いることもなく、複数の設置用部材に対して照明器具を設置することができる利点を有する。
【００２９】
また本発明は、上記発明の構成を前提として、前記接続部は、ホルダ部と操作部を備え、前記ホルダ部は操作部を上下移動させるための開口を備え、前記操作部は、ホルダ部に対する複数位置での係脱手段と、接続端子とを備えたから、操作部の係脱手段を操作し、当該操作部をホルダ部に対して上下させ、複数の位置でホルダ部と操作部を係止させることによって、複数の設置用部材に対して照明器具を設置することが可能である。
【００３０】
また本発明は、上記発明の構成を前提として、前記操作部の係脱手段は、径方向に外側へ付勢される拡縮可能な係脱手段とした場合には、上記発明の作用効果を奏する上に、操作部を片手で保持したまま、その手で前記係脱手段を押し込むことが可能であり、簡単な操作で操作部の上下位置の変更を行うことが可能である。
【００３１】
また本発明は、上記発明の構成を前提として、前記ホルダ部の開口周縁には設置用部材の外周に沿う取付ガイド部を備えたことで、上記発明の作用効果を奏する上に、接続端子と天井の設置用部材とが全く係合されないか、若しくは不十分な片掛かり（例えば、二箇所の掛止によって保持が可能となるところ、一箇所のみの掛止がされることで、不十分な保持となること）を防止でき、簡単に設置部材に対する位置決めを行うことができ、作業性、安全性を更に高めることができる。
【００３２】
また本発明は、上記発明の構成を前提として、操作部の接続端子を除く上面に、設置用部材をガイドするための取付ガイド部を立設したことから、設置用部材に対して取付ガイド部を沿わせることで、設置用部材への取付けを非常に容易とすることが可能である。
【００３３】
また本発明は、上記発明の構成を前提として、操作部の接続端子を除く上面を光透過性とし、当該上面にガイド表示部を備えたことから、下方から光透過性の当該上面を視認しつつ、前記ガイド表示部に対して設置用部材を合わせることで、設置用部材への取付を非常に容易とすることが可能である。
【００３４】
また、上記した取付ガイド部の立設位置の内側に前記ガイド表示部を構成することによって、多種の設置用部材との取付を容易とすることが可能である。
【００３５】
そして、本発明は上記いずれかの構成を備えた記載の照明器具用構造体を備えたことを特徴とする照明器具としたことによって、当該照明器具用構造体の特性を生かした、設置用部材への取付けに際しての負担を軽減し、安全性を向上させることができる照明器具とすることが可能である。
【図面の簡単な説明】
【００３６】
【図１】一般的な設置用部材であって、タイプ１（丸形引掛けシーリング）の設置用部材の（ａ）斜視図、（ｂ）正面図、（ｃ）底面図、タイプ２の設置用部材の（ｄ）斜視図、（ｅ）正面図、（ｆ）底面図、タイプ３の設置用部材の（ｇ）斜視図、（ｈ）正面図、（ｉ）底面図、（ｊ）前記タイプ１の設置用部材を設置面に取り付けた状態を示す説明図である。
【図２】本発明の実施例１に係る照明器具用構造体をタイプ１の設置用部材に取付ける状態を示す説明斜視図である。
【図３】本発明の実施例１に係る照明器具用構造体とともに使用可能な照明基体を示す（ａ）底面、正面、右側面を示す斜視図、（ｂ）平面、背面、左側面を示す斜視図である。
【図４】本発明の実施例１に係る照明器具用構造体における光源保護カバーの（ａ）平面図、（ｂ）正面図である。
【図５】本発明の実施例１に係る照明器具用構造体における光源保護カバーの（ａ）底面図、（ｂ）右側面図である。
【図６】本発明の実施例１に係る照明器具用構造体の第一段階の配置における（ａ）正面、平面、右側面を示す斜視図、（ｂ）底面、背面、左側面を示す斜視図である。
【図７】本発明の実施例１に係る照明器具用構造体の第二段階の配置における（ａ）正面、平面、右側面を示す斜視図、（ｂ）底面、背面、左側面を示す斜視図である。
【図８】本発明の実施例１に係る照明器具用構造体における回動ホルダ部と操作部との組立構造を示す斜視図である。
【図９】本発明の実施例１に係る照明器具用構造体における回動ホルダ部の（ａ）平面図、（ｂ）正面図、（ｃ）背面図、（ｄ）右側面図、(ｅ)底面図、（ｆ）Ａ−Ａ断面図である。
【図１０】本発明の実施例１に係る照明器具用構造体における操作部上部片の（ａ）平面図、（ｂ）左側面図、（ｃ）正面図、（ｄ）Ｃ−Ｃ断面図、（ｅ）背面図、（ｆ）底面図、（ｇ）Ｂ−Ｂ断面図である。
【図１１】本発明の実施例１に係る照明器具用構造体における操作部下部片の（ａ）平面図、（ｂ）左側面図、（ｃ）正面図、（ｄ）Ｅ−Ｅ断面図、（ｅ）背面図、（ｆ）底面図、（ｇ）Ｄ−Ｄ断面図である。
【図１２】本発明の実施例１に係る照明器具用構造体を用いてシーリングライトを構成する組立前の状態を示す説明図である。
【図１３】本発明の実施例１に係る照明器具用構造体を用いてシーリングライトを構成する（ａ）組立前の状態を示す説明図、（ｂ）位置決め部材を示す斜視図、（ｃ）外カバーを示す説明図、（ｄ）実施例１に係る照明器具用構造体を有する照明器具を示す縦断面図である。
【図１４】本発明の実施例１に係る照明器具用構造体Ｓを照明基体９に取着した状態を示す斜視図であって（ａ）底面（表面）、正面、右側面を示す斜視図、（ｂ）平面（裏面）、底面、正面、右側面を示す斜視図である。
【図１５】本発明の実施例１に係る照明器具用構造体Ｓにおける規制部と回動ガイド部（長穴）及び腕部との関係を示す説明図であって、（ａ）初期状態、即ち、規制部が第一の膨出面２０４ａ側でロックされている状態を示す説明図、（ｂ）規制部が第一の膨出面２０４ａから剖出端部２０４ｂを超えて第二の剖出面２０４ｃ側へ移動し、腕部が押圧変形された状態、（ｃ）規制部が回動ガイド部の略中央に位置する状態、（ｄ）規制部が端部２０２ｃに位置する状態を示す説明図である。
【図１６】（ａ）本発明の実施例１に係る照明器具用構造体における操作部と回動ホルダ部との第一段階の配置の状態を示す縦断面図、（ｂ）操作部における第一段階の配置の状態を示す縦断面図（ｃ）操作部における第一段階から第二段階へ移行する直前の状態（着脱手段２３を押し込んだ状態）を示す縦一部断面図、（ｄ）操作部と回動ホルダ部との第二段階の配置の状態を示す縦断面図である。
【図１７】本発明の実施例２に係る照明器具用構造体Ｓを構成する光源保護カバー及び接続部と照明基体９、外カバー６との関係を示す説明図である。
【図１８】本発明の実施例２に係る照明器具用構造体における光源保護カバーの（ａ）平面図、（ｂ）正面図である。
【図１９】本発明の実施例２に係る照明器具用構造体における光源保護カバーの（ａ）底面図、（ｂ）図１８（ｂ）のＨ−Ｈ断面図である。
【図２０】本発明の実施例２に係る照明器具用構造体Ｓにおける押し板を示す（ａ）、正面図（ｂ）平面図、（ｃ）縦断面図である。
【図２１】（ａ）本発明の実施例２における光源保護カバー及び接続部、照明基体との組立構造の一部拡大断面図、（ｂ）他の組立構造（実施例３）の一部拡大断面図、（ｃ）更なる他の組立構造（実施例４）の一部拡大断面図である。
【図２２】本発明の実施例２に係る照明器具用構造体を用いてシーリングライトを構成する（ａ）組立前の状態を示す説明斜視図、（ｂ）外カバーを示す説明斜視図である。
【図２３】本発明の実施例３に係る照明器具用構造体Ｓを構成する光源保護カバー及び接続部と照明基体９、外カバー６との関係を示す説明図である。
【図２４】本発明の実施例４に係る照明器具用構造体Ｓを構成する光源保護カバー及び接続部と照明基体９、外カバー６との関係を示す説明図である。
【発明を実施するための形態】
【００３７】
以下に本発明の実施例として、照明器具の光源保護カバー１と接続部２とを有する組立構造体Ｓを説明する。尚、本発明は以下の実施例に限定されるものではなく、本発明の明細書等に開示される技術的思想の範囲内で、種々の変形、設計変更等が可能な範囲に及ぶ。また、本発明の説明上、設置時に下方となる側（床側）を「下方側」又は「表側」とし、設置時に上方となる側（天井側）を「上方側」又は「裏側」とする。
【００３８】
（シーリングライトの照明基体９の構成概要０１）
尚、本実施例に係る照明器具用構造体Ｓの説明に先立ち、本実施例に対応して形成される照明器具Ｌ（シーリングライト）の基本構成について一例を説明する。
【００３９】
照明器具Ｌ（シーリングライト）は、基本構成として、照明基体９を有する。
当該照明基体９は、図２、図３に示すように、金属製円板である水平な平面９１（即ち表面側となる面）と、その中央に形成される基体開口部９０（その中心を通る鉛直線を中心軸Ｃ１とする。）と、前記平面９１の外側には周壁面９６と該周壁面９６から外方へ連続する水平環状面９７と、該水平環状面９７から屈曲形成される補強周縁部９８とを備えている。平面９１の外周寄りの位置には前記光源保護カバー１を取付けるための複数（例えば八箇所）の差込用穴９５が配列されている。また図３（ｂ）に示すように、水平環状面９７上には、照明器具Ｌを設置面へ設置する際に位置決めするための位置決め部材Ｇを設けることができる。位置決め部材Ｇは設置時の位置を決定するためのものであり、設置時に天井を押圧可能とするものである。位置決め部材Ｇの上面が押圧面ｇ１となる。
【００４０】
また、前記照明基体９の水平な前記平面９１には、ＬＥＤ基板Ｌ１０が設けられる。ＬＥＤ基板Ｌ１０上には、下方に向けて光を照射するように光源（ＬＥＤ素子）Ｌ１１が配列されている。
前記基体開口部９０の縁部９０ａの三箇所に、貫通穴９３を有する舌片部９２を設けてある。
【００４１】
また、本実施例１に係る照明器具用構造体Ｓの説明に先立ち、設置面Ｆの一例である天井面に設けられる従来公知の設置用部材であって、タイプ１の設置用部材について図１（ａ）〜（ｃ）、図２を参照し、説明する。
【００４２】
タイプ１の設置用部材は、図１（ｂ）において上部側が天井面に当接するように設置される設置部材（引丸型の引掛けシーリング）である。底面ｉ２は図１（ｃ）に示すように円板状として形成されており、円板の中心を基準として点対称なｉ３と該ｉ３の円周上となる右回転方向に連続するｉ４を有する。設置用部材内には図示されない接続端子が格納される。設置用部材自体は、天井面に固定されるため、回動しない。
【実施例１】
【００４３】
そして、本発明の実施例１に係る照明器具用構造体Ｓは、図２に示すように、天井に据え付けられる設置用部材ｉに対して接続される接続部２と光源保護カバー１を有する構造であって、新規なシーリングライト等の照明器具Ｌの一部を構成するものである。
【００４４】
本実施例１に係る照明器具用構造体Ｓは、透光性を有する合成樹脂で構成され、光源保護カバー１（図４、図５参照。）と、当該光源保護カバー１の中央に配置される接続部２（図６〜図８参照。）とを有する。
【００４５】
前記光源保護カバー１は、前記図４、図５に示すように、中央にカバー開口部１０を有し、該カバー開口部１０の縁部１０ａに円環状の平坦な摺動部１１として構成し、摺動部１１より外側に表面側へ膨らんだ光源被覆部１２を備え、該光源被覆部１２の外周には、円環状の平坦な外縁部１３を備えている。
【００４６】
前記摺動部１１は、裏面１１ａ（設置時における上面）に円筒状の突起となる規制部１４を備える。当該規制部１４は、カバー開口部１０の中心を基準として１２０°間隔で設けられる。規制部１４は中央に筒穴１４０を有する。
【００４７】
また光源保護カバー１において前記摺動部１１から連続する前記光源被覆部１２の曲面には、スリット状の通気部１５を備える。
【００４８】
また光源保護カバー１の前記外縁部１３の複数個所（八箇所）に外縁切欠１３０を設けるとともに、該外縁切欠１３０に近接する裏面に、フック状の板部１３１を設けてある。
【００４９】
そして、本発明の実施例１に係る接続部２は、前記図６〜図８に示すように、回動ホルダ部２０（ホルダ部）と操作部２１とを有する。回動ホルダ部２０と操作部２１は回動操作においては一体として回動するものである。一方、高さ調整については回動ホルダ部２０に対して操作部２１は上下に移動・係止が可能となるものである。
【００５０】
前記回動ホルダ部２０は、図８、図９に示すように、筒状体の一端側寄りの外周面２００に径方向外側へ向けて延設される鍔部２０１を設けた構成である。また中央には、操作部２１を上下方向へ移動可能とするための開口部２２を有している。
【００５１】
開口部２２は、概ね操作部２１の胴部２１０ａの輪郭に対応した形状に形成してある。即ち、当該開口部２２は小径開口形成部２２ａ同士、大径開口形成部２２ｂ同士が夫々対向した形状で形成されている。
【００５２】
小径開口形成部２２ａの位置においては、操作部２１の胴部２１０ａとの隙間が０．５ｍｍ程度となるように設定してある。また大径開口形成部位置においては、円弧状平板となる仕切部２０７を備えている。図８等に示すように、仕切部２０７間の寸法ｗ１は、操作部２１における操作部上部片２１０の長さ寸法ｗ２、及び、操作部下部片２１１の長さ寸法ｗ３よりも小さく設定されている。このため、操作部２１は回動ホルダ部２０から離脱しない構成としてある。当該構成によって、操作部２１と回動ホルダ部２０との相対的な移動を確保するとともに、当該隙間に対して埃や虫等が入り難い効果を得ることが可能である。
【００５３】
また開口部２２の他端側の縁部から当該開口部２２の軸中心と平行でかつ前記胴部２１０ａの輪郭に対応して立設された取付ガイド部２０５を備える。
【００５４】
鍔部２０１には複数の長穴２０２ａと該長穴２０２ａから連続して折り返すように形成された切欠２０２ｂを備える。前記複数の長穴２０２ａは、回動ガイド部２０２として機能する（図１５参照。）。
【００５５】
前記長穴２０２ａと切欠２０２ｂの間には腕部２０３が構成される。腕部２０３は前記長穴２０２ａに臨む膨出部２０４を有している。当該膨出部２０４は、腕部２０３の側面から長穴２０２ａの幅方向へ膨らんだ第一の膨出面２０４ａと該膨出面２０４ａに連続する膨出端部２０４ｂと該膨出端部２０４ｂから緩やかに端部へ向けて緩やかに幅寸法が減少する第二の膨出面２０４ｃとを有する。
【００５６】
本実施例に係る操作部２１は、主として、図８、図１０、図１１に示すように、操作部上部片２１０、操作部下部片２１１、及びこれらの間に格納される、着脱手段２３、接続端子２４、配線接続金具２５、回動阻止部２６を備える。
【００５７】
操作部上片部２１０及び操作部下片部２１１は、回動ホルダ部２０の開口部２２における仕切部２０７を挟み込み、且つ、前記着脱手段２３、接続端子２４、配線接続金具２５、回動阻止部２６を格納して、一体とされる。
【００５８】
操作部上部片２１０は、上部片ベース２１０ｈの下面側に接続端子格納部２１０ｆを一体として有している。上部片ベースは左右方向へ延設された張出部２１０ｉを備える。また、上部片ベース２１０ｈの上面には、ガイド表示部２１０ｄと、配線を案内する配線接続通路２１０ｂと、接続端子を上方へ突出させる接続端子取付穴２１０ｃを有している。
【００５９】
またガイド表示部２１０ｄは、小溝を枠状に形成してなる枠表示２１０ｄ１と、前記接続端子取付穴２１０ｃに連続し且つ接続端子の回動軌跡に一致する小溝を弧状に形成してなる弧表示２１０ｄ２を有する。
【００６０】
前記上部片ベース２１０ｈは下方の接続端子格納部２１０ｆから導出される配線接続金具、配線を通過させるための各導出用開口を有する。これらの導出用開口を除き、他の部分は閉塞されている。
【００６１】
前記接続端子格納部２１０ｆは、配線接続金具２５と接続端子２４を接触状態で保持し、且つ、接続端子２４の接続端を２１１ｃから前記上部片ベース２１０ｈへ逃がし、当該操作部上部片２１０上に突出した状態が保持される。本実施例においては、接続端子２４は操作部上部片２１０に対してビス止めされている。
【００６２】
先端の被覆を剥離した配線を前記上部片ベース２１０ｈの配線接続通路２１０ｂに案内させ操作部上部片２１０へ差し込むことにより、接続端子格納部２１０ｆ内の前記配線接続金具２５に保持され、接続端子２４の接続端までの導通が確保される。
【００６３】
操作部下部片２１１は、前記操作部上部片２１０の下部と組合せ可能に構成されており、一対の着脱手段２３を対向した状態で、弾性部材２３０（コイルばね）で外方へ付勢する区画である着脱手段格納部２１１ａを有する。着脱手段格納部２１１ａの下部は、大きく切欠されている。また、操作部下部片２１１は回動阻止部２６を格納するための区画である回動阻止部格納部２１１ｂを有する。
【００６４】
当該着脱手段２３は、外側面における下端側に幅方向に亘って押圧部２３ａを備え、外側面の上部には幅方向に亘って係止部２３ｂを備える。前記押圧部２３ａと係止部２３ｂとの間には幅方向に亘って凹部を有する。前記着脱手段格納部２１１ａにおける内側に弾性部材２３０（コイルばね）を保持し、外側に着脱手段を配置することによって、着脱手段は外側に向けて付勢された状態が維持される。
【００６５】
回動阻止部２６は、設置用部材ｉへ操作部２１を取着した後、不用意な回動を阻止するものである。回動阻止片２６０と阻止解除部２６１と弾性部材２６２（コイルばね）を有する。回動阻止部２６０は上端部に回動を阻止するための阻止端部２６０ａを備え、側面にガイド傾斜部２６０ｂを有する。
阻止解除部２６１は一側面に押圧部２６１ａを有し、他側面側に傾斜した押し込み部２６１ｂを有する。
【００６６】
回動阻止片２６０は弾性部材２６２によって上方へ付勢された状態が維持されている。阻止解除部２６１の押し込み部２６１ｂが前記回動阻止片２６０の側方からガイド傾斜部２６０ｂに当接し、阻止解除部２６１が回動阻止片２６０へ押し込まれると共に、回動阻止片２６０が下方へ移動することで、操作部２１の阻止端部突出穴２１０ｅから突出した阻止端部２６０ａが阻止端部突出穴２１０ｅ内へ没入可能となる。
【００６７】
また阻止解除部２６１によらない場合において、回動阻止片２６０は上方から押圧されると前記弾性部材２６２（コイルばね）が縮小し、操作部２１の阻止端部突出穴２１０ｅから突出した阻止端部２６０ａが阻止端部突出穴２１０ｅ内へ没入可能となる。
【００６８】
本実施例１に係る照明器具用構造体Ｓは、前記した接続部２及び光源保護カバー１を構成の基本とするものであり、これによって操作部２１の回転機構、更には上下方向の調節機構を提供するものである（図１２〜図１４参照。）
【００６９】
ここで操作部２１の回転機構は、接続部２の端子が天井の設置用部材ｉに位置決めされた状態で、光源保護カバー１若しくは照明基体９を回動させることなく、当該操作部２１のみを回転させることにより、前記接続部２の端子と天井の設置用部材ｉを嵌着させるための機構である。
また操作部２１の上下方向の調節機構は、予め設置された天井の設置用部材ｉの種類に対応して、照明装置の端子の高さを最適なものに適合させるための機構である。
【００７０】
本実施例においては、光源保護カバー１の裏面に突出する規制部１４が、接続部２の回動ガイド部２０２内には嵌り込んだ状態において、照明基体９に対して光源保護カバー１が固定される。
【００７１】
本実施例において光源保護カバー１と照明基体９との固定は、光源保護カバー１に形成された規制部１４の筒穴１４０を通じて、照明基体９の舌片部９２に設けた貫通穴９３まで、光源保護カバー１側から雄螺子７０を通し、他端側で雌螺子（ナット）７１を用いて固定することで行う。
【００７２】
また、光源保護カバー１の外縁部１３の複数個所に外縁切欠１３０を設けるとともに、該外縁切欠１３０に近接する裏面に、フック状の板部１３１を設けて、照明基体９の平面周縁部９１に設けた係止用開口部９５に前記板部１３１をスライドして差し込み、更に、図示されない螺子を用いて、光源保護カバー１に設けた小穴を介して、照明基体９の表面に形成した螺子穴に対して固定する構成としている（これらの螺子、光源保護カバー１の小穴、照明基体９の前記螺子穴はいずれも記載を省略する。）。
【００７３】
当該構成によって、光源保護カバー１の摺動部１１に対して、回動ホルダ部２０の鍔部２０１が、前記回動ガイド部と規制部によって制限された範囲内で、摺動可能となる。操作部２１の摺動に伴って接続端子２４も回動するため、前記操作部２１の操作により設置用部材ｉへの接続端子２４の取付が可能となる。
【００７４】
この際に、回動ガイド部２０２が規制部１４により許容される範囲内で、操作部２１は回動可能となる。即ち、操作部２１の回動範囲は、設置用部材ｉに対する接続部２１の回動範囲であり、且つ、回動ガイド部２０２に対する規制部１４の回動範囲である。
回動ガイド部２０２に臨んで腕部２０３及び膨出部２０４が設けられており、初期状態（回動させる前の状態）において、前記規制部１４は膨出部２０４でロックされている。即ち、設置部材と接続部との位置合わせ時点までは、照明基体９に対して接続部２が回動すると操作が著しく行い難くなることから、当該位置合わせ時点までは規制部１４を剖出部２０４でロックしておくことで照明基体９に対して接続部２が回動しないようにしてある。
【００７５】
次に、図１（ａ）〜（ｃ）に開示した設置用部材ｉ（引掛シーリング）への取付を例として示すと、先ず、当該設置用部材ｉの二箇所の穴部ｉ３に対して接続部材２の二本の接続端子２４を挿入し、位置決めをする。
この状態において、一方の手で照明基体９を上方（天井）へ押圧しつつ、他方の手で操作部を回動させる。
【００７６】
操作部２１の回動によって、図１５（ａ）〜（ｄ）に示すように、初期位置、即ち、規制部１４が第一の膨出面２０４ａ側でロックされている状態から、図１５（ｂ）膨出部２０４の第一の膨出面２０４ａに規制部１４が当接することによって、腕部２０３が撓るとともに膨出部２０４は少し後退（操作部２１の径方向内側へ移動）しながら、前記規制部１４の回動に一定の抵抗力を付与し且つ当該規制部１４の更なる回動を許容する。
そして図１５（ｃ）に示すように、規制部１４は膨出部２０４の膨出端部２０４ｂを超えると速やかに第二の膨出面２０４ｃ側へ嵌り込んで、（ｄ）に示すように、回動ガイド部２０２の端部へ到達する。
規制部１４と回動ガイド部２０２の端部２０２ｃが当接する際に、僅かな衝突音を生じ、回動が終了したことを認識させる。そして腕部２０３及び膨出部２０４が元の位置へ復帰する。
【００７７】
当該操作によって、前記接続部材２の二本の接続端子２４を前記穴部ｉ３に連続する弧状スリットに沿って、図１（ｃ）底面図において右回りに、弧状スリットが形成されている範囲で（設置用部材ｉの種類等によって概ね３２°〜４０°程度の範囲で）前記接続部材２を回動する。
以上によって、照明器具を前記設置用部材ｉに取着し、当該接続端子２４と設置用部材ｉ内の図示されない接続端子を接続できる。
【００７８】
この回動動作中において、阻止端部２６０ａは上方の設置用部材ｉに当接して阻止端部突出穴２１０ｅ内へ没入されている。そして、規制部１４が回動ガイド部２０２の端部へ到達する位置において、前記設置用部材ｉの下面ｉ２に設けられた穴部ｉ３に対して前記阻止端部２６０ａを嵌入する。
【００７９】
接続端子２４を設置用部材ｉから取り外すには、操作部２１を逆向きに回動させる必要がある。ここで、規制部１４自体は膨出面２０４によるロック状態にはないものの、前記設置用部材ｉの下面ｉ２に設けられた穴部ｉ３（図１参照。）に対して前記阻止端部２６０ａが嵌入していることで、完全にロック状態が保たれている。
【００８０】
この状態から、阻止解除部２６１を回動阻止片２６０へ押し込んで、回動阻止片が下方へ移動させ、操作部２１の阻止端部突出穴２１０ｅから突出した阻止端部２６０ａを阻止端部突出穴２１０ｅ内へ没入させる操作を行うことで、回動が可能となる。この状態で、操作部２１の回動操作をすることで、併せて接続端子２４も回動する。また、規制部１４は第二の膨出面２０４を乗り越えることによってもとの位置に復帰する。
【００８１】
また、本実施例１に係る接続部２は、複数種類の設置用部材ｉに対して照明器具Ｌの取付を可能とすべく、通常位置（第一段階の位置）、上方位置（第二段階の位置）の二段階での高さ調整を可能とする機構を有している（図６、図７、図１６参照。）。
【００８２】
通常位置（第一段階の位置）においては、図６、図１６（ａ）（ｂ）に示すように、操作部２１における操作部上部片２１０の上面２１０ｊ（接続端子２４を除く部分）と回動ホルダ部２０の枠縁上面２０８とが略同一水平面（同一高さ）となる位置である。回動ホルダ部２０に対して操作部２１が移動可能な下限位置にある状態である。
【００８３】
上方位置（第二段階の位置）においては、図７、図１６（ｄ）に示すように、操作部２１における操作部上部片２１０の上面２１０ｊ（接続端子２４を除く部分）と回動ホルダ部２０の取付ガイド部２０５の上面２０６とが略同一水平面（同一高さ）となる位置である。
回動ホルダ部２０に対して操作部２１が移動可能な上限位置にある状態である。
【００８４】
上記第一段階の配置においては、着脱手段２３の押圧部２３ａの上面と係止部２３ｂの下面との間に回動ホルダ部２０の鍔部２０１が係止した構成である。
また上記第二段階の配置においては、着脱手段の係止部２３ｂの上面と操作部上部片２１０の張出部２１０ｉの下面との間に回動ホルダ部２０の鍔部２０１が係止した構成である。
【００８５】
上記第一段階の配置、第二段階の配置の切り替えは、図１６（ｃ）に示すように、対向する着脱手段２３を弾性部材２３０の反発弾性に抗しながら指で押さえて相互に近づけ、仕切部２０７間の寸法ｗ１よりも着脱手段２３の外周面相互間の寸法を小さくすることで、着脱手段２３の係止部２３ｂが前記鍔部２０１に引掛からない構成として、前記操作部２１を回動ホルダ部２０に対して上下方向に移動させることで行うことができる。着脱手段２３から指を離すと前記弾性部材２３０のばね弾性によって、元の位置に復元するから、所望の第一段階若しくは第二段階の配置とすることができる。
【実施例２】
【００８６】
次に本発明の実施例２に係る照明器具用構造体Ｓは、従来のシーリングライト等の基体に対しても取着可能であり、製造過程において本実施例１に係る照明器具用構造体を前記従来の基体等に対して組み付けることで、本願発明の作用効果を奏する照明器具とすることが可能となるものである。
【００８７】
そして本発明の実施例２に係る照明器具用構造体Ｓは、実施例１に係る照明器具用構造体Ｓと同様に、天井に据え付けられる接続部２と光源保護カバー１を有する構造であって、照明器具であるシーリングライトＬの一部を構成するものである。
【００８８】
本実施例２に係る照明器具用構造体Ｓは、透光性を有する合成樹脂で形成され、図１７に示すように、光源保護カバー１と、押え板４と、前記光源保護カバー１に対して回動可能に設けられる接続部２とを備える。尚、接続部２の構成は上記実施例１と共通である。このため、接続部２の詳細な構成は実施例１の記載（図１〜図１１を含む。）を参照する。また前記押え板４は、実施例２及び後述する実施例３、４に備えるものであり、実施例１にはない構成である。
【００８９】
本実施例２における光源保護カバー１は、実施例１に係る光源保護カバー１と同様に、中央にカバー開口部１０を有し、該カバー開口部１０の縁部１０ａに円環状の平坦な摺動部１１として構成し、摺動部１１より外側に表面側へ膨らんだ光源被覆部１２を備え、該光源被覆部１２の外周には、円環状の平坦な外縁部１３を備えている。また光源保護カバー１において前記摺動部１１から連続する前記光源被覆部１２の曲面には、スリット状の通気部１５を備える（図１８、図１９参照。）。
【００９０】
その一方で、本実施例２に係る光源保護カバー１は、実施例１に開示した円筒状の規制部を有しておらず、当該箇所には貫通穴１４１を備えた構成である。
【００９１】
前記押え板４は、図２０に示すように、環状の平板であり、前記光源保護カバー１の貫通穴と対応する箇所に円筒状の規制部３を設けた構成である。規制部３に形成した円筒を構成する筒穴３０は前記光源保護カバー１の貫通穴と略共通する大きさとしてある。
【００９２】
本実施例２に係る照明器具用構造体によれば、上記実施例１と同様に照明器具Ｌの一部として構成することが可能である。また、従来の照明器具Ｌの一部として適用することができる。
【００９３】
本実施例２に係る照明器具用構造体Ｓを取着する照明器具Ｌの照明基体９（図３参照。）は、一例として、金属製円板である水平な平面９１（即ち表面側となる面）と、その中央に形成される基体開口部９０と、前記平面９１の外側には周壁面９６と該周壁面９６から外方へ連続する水平環状面９７と、該水平環状面９７から屈曲形成される補強周縁部９８とを備えている。
【００９４】
また、前記照明基体９の水平な前記平面９１には、ＬＥＤ基板Ｌ１０が設けられる。ＬＥＤ基板Ｌ１０上には、下方に向けて光を照射するように光源（ＬＥＤ素子）Ｌ１１が配列されている。前記基体開口部９０の縁部９０ａの三箇所には、貫通穴９３を有する舌片部９２を備えている。
【００９５】
また前記照明基体９の水平な裏面には制御回路部５を設けてある。制御回路部５は、操作部２１から配線接続通路２１０ｂを介して配線が接続される。
【００９６】
本実施例２に係る照明器具用構造体Ｓは、図１７、図２１（ａ）、図２２に示すように、照明基体９の下方側に光源保護カバー１を配置し、当該光源保護カバー１の下方側に本実施例２に係る接続部２を配置し、更に当該接続部２における鍔部２０１の下方側に規制部３を上方へ向けて押し板４を配置した構成である。
【００９７】
前記押し板４の筒状の規制部３は、鍔部２０１における回動ガイド部２０２内に配置される。また当該規制部３の筒状を形成する穴から、当該回動ガイド部２０２、光源保護カバー１の貫通穴１４１まで、若しくはこれに加えて照明基体９の貫通穴９３までを螺子止めすることが可能である。
【００９８】
以上の構成によって、前記接続部２における鍔部２０１が、光源保護カバー１と押し板４との間にあって、当該光源保護カバー１と押し板４に摺動して、該同ガイド部２０２及び規制部３で規制される範囲内で、回動が可能となる。
【００９９】
また、他の実施例として、図２３及び図２１（ｂ）に開示する実施例３、図２４及び図２１（ｃ）に示す実施例４のように、光源保護カバー１、押し板４、接続部２の配置を変更することも可能である。
【０１００】
本発明の上記いずれの実施例においても、例えば図１（ａ）〜（ｃ）に示す設置用部材ｉに対して、照明器具用構造体Ｓ（若しくは当該照明器具用構造体Ｓを備えた照明器具Ｌ）を取着するには、上記第一段階の配置において行うことができる。即ち、上記したように、第一段階の配置においては、操作部２１における操作部上部片２１０の上面２１０ｊ（接続端子２４を除く部分）と回動ホルダ部２０の枠縁上面２０８とが略同一水平面（同一高さ）となる位置となっており、当該水平面に対して設置用部材ｉの下面ｉ２が当接することとなる。
【０１０１】
取着の際には、外部カバー６を取り外した照明器具Ｌの下方側から透明の接続部２を介して前記設置用部材ｉを視認しつつ行うことができる。そして、取付ガイド部２０５が当該設置用部材ｉの外周に沿うため、照明器具Ｌの水平を容易に保持しながら、簡単に位置合わせを行うことができる。また、接続部２を回動させる際には、一方の手で光源保護カバー１を天井に向けて押えた状態で、他方の手で接続部２における操作部２１を回動させるだけでよく、また、軽量な操作部のみを回動させることから、非常に作業負担が小さく、安全性を確保できる。
【０１０２】
また例えば図１（ｄ）〜（ｆ）に示す設置用部材ｉに対して、照明器具用構造体Ｓ（若しくは当該照明器具用構造体Ｓを備えた照明器具）を取着するには、同様に上記第一段階の配置において行うことができる。当該設置用部材ｉにおいては、取着の際には、外部カバー６を取り外した照明器具Ｌの下方側から透明の接続部２を介して、前記設置用部材ｉとガイド表示部２１０ｄ１、２１０ｄ２を視認しつつ行うことができるので、簡単に位置合わせを行うことができる。
【０１０３】
また例えば図１（ｇ）〜（ｉ）に示す設置用部材ｉに対して、照明器具用構造体Ｓ（若しくは当該照明器具用構造体Ｓを備えた照明器具Ｌ）を取着するには、上記第二段階の配置において行うことができる。即ち、上記したように、上方位置（第二段階）においては、操作部２１における操作部上部片２１０の上面（接続端子２４を除く部分）と回動ホルダ部２０の取付ガイド部２０５の上面とが略同一水平面（同一高さ）となる位置となっており、当該水平面に対して設置用部材ｉの下面ｉ２が当接することとなる。当該設置用部材ｉにおいては、取着の際には、接続端子を設置用部材ｉの穴部ｉ３に差し込んだ状態で操作部２１の水平な上面を設置用部材ｉの下面ｉ２に当接させ、外部カバー６を取り外した照明器具Ｌの下方側から透明の接続部２を介して、前記設置用部材ｉとガイド表示部２１０ｄ２を視認しつつ回動操作を行うことができるので、簡単に位置合わせを行うことができる。
【０１０４】
前記摺動部１１は、裏面１１ａ（設置時における上面）に円筒状の突起となる規制部１４を備える。当該規制部１４は、カバー開口部１０の中心を基準として１２０°間隔で合計３箇所に設けているが、本発明は当該配列角度、規制部の数量等を限定するものではなく、少なくとも一以上の規制部１４があればよい趣旨である。
【０１０５】
また本発明において用いることができる合成樹脂は、特に限定されるものではなく、光透過性、即ち、透明若しくは半透明であればよい趣旨である。しかしながら、実用性を高める観点からすれば、耐久性、耐熱性に優れた素材が好ましく、例えば、ポリカーボネート等を用いることができる。
【０１０６】
上記実施例１においては、光源保護カバー１と照明基体９との固定は、光源保護カバー１に形成された規制部１４が構成する筒体の中央を通じて、照明基体９の舌片部９２に設けた貫通穴９３まで、光源保護カバー１側から螺子を通し、他端側でナットを用いて固定する構成としたが、本発明は上記実施例の構成に限定されるものではない。例えば、規制部１４には筒穴１４０を形成せず、光源保護カバー１の外縁部１３と照明基体９の平面周縁部９１ａとを螺子止めした構成等とすることもできる。
【０１０７】
規制部１４に形成した円筒を構成する筒穴１４０は前記光源保護カバー１の貫通穴と略共通する大きさとしてあるが、本発明はこれに限るものではなく、光源保護カバー１の貫通穴内に嵌り込むものとすることもできる。
【０１０８】
また、本発明の上記実施例１、２において光源保護カバー１の外縁部１３の複数個所に外縁切欠１３０を設けるとともに、該外縁切欠１３０に近接する裏面に、フック状の板部１３１を設けて、照明基体９の平面周縁部９１ａに設けた係止用開口部９５に前記板部１３１をスライドして差し込み、固定する構成としているが、本願発明は上記実施例に限るものではない。その他、種々の公知の係脱手段若しくは固着手段により、光源保護カバー１と照明基体とを係止若しくは固着することができる。
【０１０９】
また、本発明の実施例によれば、操作部２１に小溝によって形成したガイド表示部２１０ｄ（２１０ｄ１、２１０ｄ２）を設けた構成としたが、ガイド表示部２１０ｄは当該構成に限定されるものではなく、例えば小溝に代えて塗料を用いた着色や薄膜シートの貼付等により行うことも可能である。ガイド表示部２１０ｄは、操作部２１の上面は設置用部材ｉと接触する面であることから、操作部２１の上面に対して凸状に設けられるよりはむしろ凹状に設けられる方が好ましい。
【０１１０】
また、本発明の実施例によれば、操作部２１は操作部上部片２１０と操作部下部片２１１とを回動ホルダ部２０の上下から挟み込む構成として実現しているが、本発明は当該構成に限定されるものではなく、例えば、操作部２１を一体として構成し、回動ホルダ部２０に保持させる構成とすることもできる。
【０１１１】
また、操作部２１の平面視輪郭を取付ガイド部の輪郭と略一致させることによって、操作部２１の上下動が、ホルダ部２０と操作部２１との僅かな隙間等によって引掛り等が生じやすくなるところ、当該取付ガイド部によって、前記引掛り等を抑制し、円滑な操作に資することが可能である。
【符号の説明】
【０１１２】
Ｃ１        中心軸（基体開口部の中心軸）
Ｆ          設置面（天井面）
Ｇ          位置決め部材
ｇ１        押圧面
ｉ          設置用部材
ｉ２        下面（設置用部材の下面）
ｉ３        穴部（設置用部材の穴部）
ｉ４        
Ｌ          照明器具
Ｌ１０      ＬＥＤ基板
Ｌ１１      光源（ＬＥＤ素子）
Ｓ          照明器具用構造体
ｗ１        寸法
ｗ２        寸法
ｗ３        寸法
１          光源保護カバー
１０        カバー開口部
１０ａ      縁部
１１        摺動部
１２        光源被覆部
１３        外縁部
１３０      外縁切欠
１３１      板部
１４        規制部（規制突起）
１４０      筒穴
１４１      貫通穴
１５        通気部
２          接続部
２０        回動ホルダ部・ホルダ部
２００      外周面
２０１      鍔部
２０２      回動ガイド部（切欠部）
２０２ａ    長穴
２０２ｂ    切欠
２０２ｃ    端部
２０３      腕部
２０４      膨出部
２０４ａ    第一の膨出面
２０４ｂ    膨出端部
２０４ｃ    第二の膨出面
２０５      取付ガイド部
２０６      上面（取付ガイド部の上面）
２０７      仕切部
２０８      枠縁上面
２１        操作部
２１０      操作部上部片
２１０ａ    胴部
２１０ｂ    配線接続通路
２１０ｃ    接続端子取付穴
２１０ｄ    ガイド表示部
２１０ｅ    阻止端部突出穴
２１０ｆ    接続端子格納部
２１０ｈ    上部片ベース
２１０ｉ    張出部
２１０ｊ    上面
２１１      操作部下部片
２１１ａ    着脱手段格納部
２１１ｂ    回動阻止部格納部
２２        開口（ホルダ部の開口）
２２ａ      小径開口形成部
２２ｂ      大径開口形成部
２３        着脱手段（ホルダに対する操作部の着脱手段）
２３ａ      押圧部
２３ｂ      係止部
２３ｃ      凹部
２３０      弾性部材（コイルばね）
２４        接続端子
２５        配線接続金具
２６        回動阻止部
２６０      回動阻止片
２６０ａ    阻止端部
２６１      阻止解除部
２６１ａ    押圧部
２６１ｂ    押し込み部
２６２      弾性部材（コイルばね）
３          規制部
３０        筒穴
４          押え板
５          制御回路部
６          外カバー
７０        雄螺子
７１        雌螺子（ナット）
９          照明基体
９０        基体開口部
９０ａ      縁部
９１        平面
９１ａ      平面周縁部
９２        舌片部
９３        貫通穴
９４        外カバー取付用フック
９５        係止用開口部
９６        周壁面
９７        水平環状面
９８        補強周縁部
【手続補正２】
【補正対象書類名】特許請求の範囲
【補正対象項目名】全文
【補正方法】変更
【補正の内容】
【特許請求の範囲】
【請求項１】
照明基体の中央に基体開口部を備える照明器具に取着可能な照明器具用構造体であって、
前記照明基体に配置された光源を被覆し、且つ、中央にカバー開口部を備える透光性の光源保護カバーと、前記基体開口部の中心軸と同軸で前記光源保護カバーに対して回動可能となる接続部を備え、
前記接続部は、ホルダ部と操作部を有し、
前記ホルダ部と操作部の少なくともいずれか一方は透光性を有し、
前記ホルダ部は、円筒状の外周面を有し、該外周面には鍔部を備え、前記鍔部には光源保護カバー若しくは照明基体に対して一定範囲の回動を許容するためのガイド部を備え、
前記光源保護カバーに当接若しくは隣接する規制部を備え、
前記規制部が、前記回動ガイド部内に配置されることを特徴とする照明器具用構造体。
【請求項２】
前記回動ガイド部に隣接する腕部を備え、該腕部は前記回動ガイド部に面する膨出部を備え、該膨出部により前記規制部を保持可能としたことを特徴とする請求項１記載の照明器具用構造体。
【請求項３】
前記接続部と当接する押え板を備え、該押え板は前記規制部を備えることを特徴とする請求項１又は２記載の照明器具用構造体。
【請求項４】
前記規制部は、前記光源保護カバーのカバー開口部の周縁部の裏面に立設したことを特徴とする請求項１又は２記載の照明器具用構成体。
【請求項５】
前記光源保護カバーの前記カバー開口部に対して前記接続部の一部が上下に移動可能であり且つ接続部の前記一部は当該光源保護カバーの複数の位置に対する係脱手段を有することを特徴とする請求項１、２、３又は４記載の照明器具用構成体。
【請求項６】
前記接続部は、ホルダ部と操作部を備え、
前記ホルダ部は操作部を上下移動させるための開口を備え、
前記操作部は、ホルダ部に対する複数位置での係脱手段と、接続端子とを備えたことを特徴とする請求項５記載の照明器具用構造体。
【請求項７】
前記係脱手段は、径方向に外側へ付勢される拡縮可能な係脱手段であることを特徴とする請求項５又は６記載の照明器具用構造体。
【請求項８】
前記ホルダ部の開口周縁には設置用部材の外周に沿う取付ガイド部を備えたことを特徴とする請求項６又は７記載の照明器具用構造体。
【請求項９】
操作部の接続端子を除く上面に、設置用部材の外周に沿う取付ガイド部を備えたことを特徴とする請求項２、３、４、５、６、７又は８記載の照明器具用構造体。
【請求項１０】
操作部の接続端子を除く上面にガイド表示部を備えたことを特徴とする請求項２、３、４、５、６、７、８又は９記載の照明器具用構造体。
【請求項１１】
請求項１、２、３、４、５、６、７、８、９又は１０に記載の照明器具用構造体を備えたことを特徴とする照明器具。